(57)【特許請求の範囲】
【請求項１】
人の在否を検知する人体検知センサと静電ミストを発生する静電霧化装置とを有する室内機を備えた空気調和機であって、
前記人体検知センサの検知範囲において所定の領域に人がいると判定された場合には、前記所定の領域の方向に風向制御して前記所定の領域に静電ミストを到達させるようにする肌ケアモードと、前記検知範囲内に人がいないと判定された場合には、上方又は遠方の領域に静電ミストが到達するようにする部屋ケアモードとを有し、空気調和機を停止し退出により不在になる場合は、冷凍サイクルを停止した送風運転で所定時間、部屋ケアモードを行うことを特徴とする空気調和機。
【請求項２】
空調すべき領域を複数の人体検知センサにより複数の領域に区分し、前記人体検知センサにより人がいると判定された領域に風向制御して当該領域に静電ミストを到達させるようにしたことを特徴とする請求項１に記載の空気調和機。
【請求項３】
前記室内機に設けられた室内ファンの回転数と、前記室内機に設けられた風向変更手段の角度を制御して、暖房時は前記人体検知センサにより検知された人の足元近傍に温風を到達させる設定と、冷房時は前記人体検知センサにより検知された人の頭上上方に冷風を到達させる設定の少なくとも一方を行うようにしたことを特徴とする請求項２に記載の空気調和機。
【請求項４】
空調すべき領域を複数の人体検知センサにより複数の領域に区分し、人がいる頻度に応じて前記複数の領域の各々に人がいる頻度を示す領域特性を設定し、人がいる頻度が高い領域特性を持つ領域に風向制御して当該領域に静電ミストを到達させるようにしたことを特徴とする請求項１に記載の空気調和機。
【請求項５】
前記室内機に設けられた室内ファンの回転数と、前記室内機に設けられた風向変更手段の角度を制御して、暖房時は人がいる頻度が高い領域特性を持つ領域の室内機側の縁部近傍に温風を到達させる設定と、冷房時は人がいる頻度が高い領域特性を持つ領域の上方に冷風を到達させる設定の少なくとも一方を行うようにしたことを特徴とする請求項４に記載の空気調和機。
【請求項６】
空調すべき領域を複数の人体検知センサにより複数の領域に区分し、該複数の領域のすべての領域に人がいないと判定された場合には、前記静電霧化装置を所定の時間運転するとともに前記複数の領域のうち外側の領域に順次風向制御して前記静電ミストを前記外側の領域に到達させるようにしたことを特徴とする請求項１に記載の空気調和機。
【請求項７】
前記室内機に設けられた室内ファンの回転数と、前記室内機に設けられた風向変更手段の角度を制御して、前記外側の領域の上方に静電ミストを到達させるようにしたことを特徴とする請求項６に記載の空気調和機。
【請求項８】
人がいる頻度に応じて前記複数の領域の各々に人がいる頻度を示す領域特性を設定し、前記外側の領域に風向制御した後、前記室内機に設けられた室内ファンの回転数と、前記室内機に設けられた風向変更手段の角度を制御して、人がいる頻度が高い領域特性を持つ領域の上方に静電ミストを到達させるようにしたことを特徴とする請求項６に記載の空気調和機。
【請求項９】
人がいる頻度に応じて前記複数の領域の各々に人がいる頻度を示す領域特性を設定し、前記外側の領域に風向制御した後、前記室内機に設けられた室内ファンの回転数と、前記室内機に設けられた風向変更手段の角度を制御して、人がいる頻度が低い領域特性を持つ領域の上方に静電ミストを到達させるようにしたことを特徴とする請求項６に記載の空気調和機。
【請求項１０】
前記複数の領域のすべての領域に人がいないと判定された場合の前記室内ファンの回転数を空調時の最大設定回転数と同等もしくは最大設定回転数より高く設定したことを特徴とする請求項７乃至９のいずれか１項に記載の空気調和機。
【請求項１１】
前記複数の領域のすべての領域に人がいないと判定された場合に前記室内機に設けられた換気ファンを作動させるようにしたことを特徴とする請求項６乃至１０のいずれか１項に記載の空気調和機。
【請求項１２】
前記複数の領域のすべての領域に人がいないと判定される前に、人がいると判定された時間を積算し、積算時間に応じて静電ミストを到達させる時間を変更するようにしたことを特徴とする請求項６乃至１１のいずれか１項に記載の空気調和機。
【請求項１３】
前記部屋ケアモードにおいて、通常運転時より消費電力が少ない省電力運転を行うようにしたことを特徴とする請求項６乃至１２のいずれか１項に記載の空気調和機。
【請求項１４】
前記複数の領域のすべての領域に人がいないと判定された場合の風向制御の後、前記複数の人体検知センサのいずれかにより人の入室を検知した場合には、人がいる領域の空調設定に応じて空調制御を行うようにしたことを特徴とする請求項６乃至１３のいずれか１項に記載の空気調和機。
【発明の詳細な説明】
【技術分野】
【０００１】
本発明は、静電ミストを発生する静電霧化装置を有する室内機を備えた空気調和機に関し、特に人の在否に応じて人の肌質を改善したり部屋を浄化したりする技術に関する。
【背景技術】
【０００２】
近年の健康志向ブームもあり、空気調和機の場合、空気清浄機能、換気機能、酸素富化機能を備えたものも多数開発され実用化されている。これらの機能を備えた空気調和機は、室内の汚れを検知して、検知した値に応じてそれぞれの機能を作用させたり機能量を調節したりすることで快適な室内環境を実現している。
【０００３】
また、従来の空気調和機には脱臭機能を備えたものがあり、例えば室内機の吸込口に設けた空気清浄用プレフィルタにより臭気成分を吸着したり、送風路の途中に設けた酸化分解機能を有する脱臭ユニットにより臭気成分を吸着したりしている。
【０００４】
しかしながら、脱臭機能を有する空気調和機は、吸込口から吸い込まれた空気中に含まれる臭気成分を取り除いて脱臭するため、室内の空気中に含まれる臭気成分や、カーテンや壁面等に付着した臭気成分を除去することはできなかった。
【０００５】
そこで、室内機の送風路に静電霧化装置を設け、静電霧化装置により発生した粒子径がナノメートルサイズの静電ミストを空気とともに室内に吹き出すことで、室内空気に含まれる臭気成分や、カーテンや壁面等に付着した臭気成分を除去するようにした空気調和機も提案されている（例えば、特許文献１あるいは２参照。）。
【０００６】
【特許文献１】特開２００５−２８２８７３号公報
【特許文献２】特開２００６−２３４２４５号公報
【発明の開示】
【発明が解決しようとする課題】
【０００７】
しかしながら、特許文献１あるいは２に記載の空気調和機においては、静電霧化装置を吸込口あるいは吹出口の近傍や、熱交換器あるいは室内ファンの下流側に配置しただけの構成で、人の在否に応じて静電霧化装置の運転を制御するものではなく、静電ミストの最適利用という点ではまだまだ改善の余地があった。
【０００８】
最近では、静電ミストの肌質改善効果も注目されており、人の在室時に静電ミストを効果的に人に指向させるものも望まれている。
【０００９】
本発明は、従来技術の有するこのような問題点に鑑みてなされたものであり、人の在否を判断して、人がいると判断した場合には人の肌質を改善するように風向制御する肌ケアモードと、人がいないと判断した場合には部屋を浄化するように風向制御する部屋ケアモードとのうち、少なくともいずれか一方のモードを備えることで快適な室内環境を実現できる空気調和機を提供することを目的としている。
【課題を解決するための手段】
【００１２】
上記目的を達成するために、本発明のうちで請求項１に記載の発明は、人の在否を検知する人体検知センサと静電ミストを発生する静電霧化装置とを有する室内機を備えた空気調和機であって、前記人体検知センサの検知範囲において所定の領域に人がいると判定された場合には、前記所定の領域の方向に風向制御して前記所定の領域に静電ミストを到達させるようにする肌ケアモードと、前記検知範囲内に人がいないと判定された場合には、上方又は遠方の領域に静電ミストが到達するようにする部屋ケアモードとを有し、空気調和機を停止し退出により不在になる場合は、冷凍サイクルを停止した送風運転で所定時間、部屋ケアモードを行うことを特徴とする。
【００１３】
また、請求項２に記載の発明は、空調すべき領域を複数の人体検知センサにより複数の領域に区分し、前記人体検知センサにより人がいると判定された領域に風向制御して当該領域に静電ミストを到達させるようにしたことを特徴とする。
【００１４】
また、請求項３に記載の発明は、前記室内機に設けられた室内ファンの回転数と、前記室内機に設けられた風向変更手段の角度を制御して、暖房時は前記人体検知センサにより検知された人の足元近傍に温風を到達させる設定と、冷房時は前記人体検知センサにより検知された人の頭上上方に冷風を到達させる設定の少なくとも一方を行うようにしたことを特徴とする。
【００１５】
また、請求項４に記載の発明は、空調すべき領域を複数の人体検知センサにより複数の領域に区分し、人がいる頻度に応じて前記複数の領域の各々に人がいる頻度を示す領域特性を設定し、人がいる頻度が高い領域特性を持つ領域に風向制御して当該領域に静電ミストを到達させるようにしたことを特徴とする。
【００１６】
また、請求項５に記載の発明は、前記室内機に設けられた室内ファンの回転数と、前記室内機に設けられた風向変更手段の角度を制御して、暖房時は人がいる頻度が高い領域特性を持つ領域の室内機側の縁部近傍に温風を到達させる設定と、冷房時は人がいる頻度が高い領域特性を持つ領域の上方に冷風を到達させる設定の少なくとも一方を行うようにしたことを特徴とする。
【００１７】
また、請求項６に記載の発明は、空調すべき領域を複数の人体検知センサにより複数の領域に区分し、該複数の領域のすべての領域に人がいないと判定された場合には、前記静電霧化装置を所定の時間運転するとともに前記複数の領域のうち外側の領域に順次風向制御して前記静電ミストを前記外側の領域に到達させるようにしたことを特徴とする。
【００１８】
また、請求項７に記載の発明は、前記室内機に設けられた室内ファンの回転数と、前記室内機に設けられた風向変更手段の角度を制御して、前記外側の領域の上方に静電ミストを到達させるようにしたことを特徴とする。
【００１９】
また、請求項８に記載の発明は、人がいる頻度に応じて前記複数の領域の各々に人がいる頻度を示す領域特性を設定し、前記外側の領域に風向制御した後、前記室内機に設けられた室内ファンの回転数と、前記室内機に設けられた風向変更手段の角度を制御して、人がいる頻度が高い領域特性を持つ領域の上方に静電ミストを到達させるようにしたことを特徴とする。
【００２０】
また、請求項９に記載の発明は、人がいる頻度に応じて前記複数の領域の各々に人がいる頻度を示す領域特性を設定し、前記外側の領域に風向制御した後、前記室内機に設けられた室内ファンの回転数と、前記室内機に設けられた風向変更手段の角度を制御して、人がいる頻度が低い領域特性を持つ領域の上方に静電ミストを到達させるようにしたことを特徴とする。
【００２１】
また、請求項１０に記載の発明は、前記複数の領域のすべての領域に人がいないと判定された場合の前記室内ファンの回転数を空調時の最大設定回転数と同等もしくは最大設定回転数より高く設定したことを特徴とする。
【００２２】
また、請求項１１に記載の発明は、前記複数の領域のすべての領域に人がいないと判定された場合に前記室内機に設けられた換気ファンを作動させるようにしたことを特徴とする。
【００２３】
また、請求項１２に記載の発明は、前記複数の領域のすべての領域に人がいないと判定される前に、人がいると判定された時間を積算し、積算時間に応じて静電ミストを到達させる時間を変更するようにしたことを特徴とする。
【００２４】
また、請求項１３に記載の発明は、前記部屋ケアモードにおいて、通常運転時より消費電力が少ない省電力運転を行うようにしたことを特徴とする。
【００２５】
また、請求項１４に記載の発明は、前記複数の領域のすべての領域に人がいないと判定された場合の風向制御の後、前記複数の人体検知センサのいずれかにより人の入室を検知した場合には、人がいる領域の空調設定に応じて空調制御を行うようにしたことを特徴とする。
【発明の効果】
【００２６】
本発明によれば、肌ケアモードとして、人体検知センサにより人がいると判定された領域、あるいは人がいる頻度が高い領域特性を持つ領域に風向制御して当該領域に静電ミストを到達させるようにしたので、静電ミストが居住者に供給され居住者の肌質が改善される。
【００２７】
また、部屋ケアモードとして、人体検知センサの検知範囲内に人がいないと判定された場合には、上方又は遠方の領域に静電ミストを到達させるようにしたので、臭いが付着していることが予想される壁面やカーテン等に静電ミストが供給され、脱臭あるいは除菌を効率的かつ効果的に行うことができ、快適な室内環境を実現できる。
【発明を実施するための最良の形態】
【００２８】
以下、本発明の実施の形態について、図面を参照しながら説明する。
（空気調和機の全体構成）
空気調和機は、通常冷媒配管で互いに接続された室外機と室内機とで構成されており、図１及び図２は、本発明にかかる空気調和機の室内機を示している。
【００２９】
室内機は、本体２と、本体２の前面吸込口２ａを開閉自在の可動前面パネル（以下、単に前面パネルという）４を有しており、空気調和機停止時は、前面パネル４は本体２に密着して前面吸込口２ａを閉じているのに対し、空気調和機運転時は、前面パネル４は本体２から離反する方向に移動して前面吸込口２ａを開放する。なお、図１は前面パネル４が前面吸込口２ａを閉じた状態を示しており、図２は前面パネル４が前面吸込口２ａを開放した状態を示している。
【００３０】
図３に示されるように、本体２の内部には、熱交換器６と、前面吸込口２ａ及び上面吸込口２ｂから取り入れられた室内空気を熱交換器６で熱交換して室内に吹き出すための室内ファン８と、熱交換した空気を室内に吹き出す吹出口１０を開閉するとともに空気の吹き出し方向を上下に変更する上下羽根１２と、空気の吹き出し方向を左右に変更する左右羽根１３（図２３参照）とを備えており、前面吸込口２ａの下方の本体２には、前面吸込口２ａの吹出口１０側で開閉する中羽根１４が中羽根駆動機構１６を介して揺動自在に取り付けられている。さらに、前面パネル４上部は、その両端部に設けられた２本のアーム１８，２０を介して本体２上部に連結されており、アーム１８に連結された駆動モータ（図示せず）を駆動制御することで、空気調和機運転時、前面パネル４は空気調和機停止時の位置（前面吸込口２ａの閉塞位置）から前方斜め上方に向かって移動する。また、上下羽根１２は、その両端部に設けられた２本のアーム２２，２４を介して本体２下部に連結されているが、その駆動方法については後述する。
【００３１】
（人体検知装置の構成）
図１（ｂ）及び（ｃ）に示されるように、前面パネル４の上部には、複数（例えば、五つ）のセンサユニット２６，２８，３０，３２，３４が前面パネル４の主平面から突出した状態で人体検知装置として取り付けられており、これらのセンサユニット２６，２８，３０，３２，３４は、図４に示されるように、センサホルダ３６に保持されている。なお、人体検知装置は、図１（ａ）に示されるようにカバー５で覆われており、図１（ｂ）はカバー５を取り外した状態を示している。
【００３２】
各センサユニット２６，２８，３０，３２，３４を前面パネル４の上部に設けたのは、図５（ａ）に示されるように、各センサユニット２６，２８，３０，３２，３４の視野範囲（後述する人体位置判別領域）を拡大して遠方視野を最大限確保するためである。また、図５（ｂ）に示されるように、運転開始時に前面パネル４を停止位置より前方に移動させることでより遠くまで視野範囲を確保することができるとともに、図５（ｃ）に示されるように、前面パネル４を停止位置より斜め上方に移動させることで視野範囲をさらに拡大することができる。なお、各センサユニット２６，２８，３０，３２，３４の位置は前面パネル４の上部に限定されるわけではなく、また、前面パネルが可動でない場合でも、人体検知装置を前面パネルの上部あるいは本体上部に取り付けることにより下部に取り付けた場合に比べ視野範囲を拡大することができる。
【００３３】
また、図５（ｄ）に示されるように、各センサユニット２６，２８，３０，３２，３４を前面パネル４の主平面から突出させて設けることで、各センサユニット２６，２８，３０，３２，３４をより前方に配置することができ、図５（ｂ）〜（ｄ）に示されるように、室内機の構成部（例えば、上下羽根１２や、前面吸込口２ａを開放状態の前面パネル４など）による死角発生を防止して視野範囲を拡大させることができる。
【００３４】
本実施の形態では、各センサユニット２６，２８，３０，３２，３４は前面パネル４に設けられているので、前面パネル４が前面吸込口２ａを開放状態としたときには前面パネル４に付随して移動することとなり、更に前方に突出することとなる。
【００３５】
また、センサユニット２６は、回路基板２６ａと、回路基板２６ａに取り付けられたレンズ２６ｂと、レンズ２６ｂの内部に実装された人体検知センサ（図示せず）とで構成されており、この構成は、他のセンサユニット２８，３０，３２，３４についても同様である。さらに、人体検知センサは、例えば人体から放射される赤外線を検知することにより人の在否を検知する赤外線センサにより構成されており、赤外線センサが検知する赤外線量の変化に応じて出力されるパルス信号に基づいて回路基板２６ａにより人の在否が判定される。すなわち、回路基板２６ａは人の在否判定を行う在否判定手段として作用する。  
【００３６】
（人体検知装置による人位置推定）
図６は、センサユニット２６，２８，３０，３２，３４で検知される人体位置判別領域を示しており、センサユニット２６，２８，３０，３２，３４は、それぞれ次の領域に人がいるかどうかを検知することができる。
センサユニット２６：領域Ａ＋Ｃ＋Ｄ
センサユニット２８：領域Ｂ＋Ｅ＋Ｆ
センサユニット３０：領域Ｃ＋Ｇ
センサユニット３２：領域Ｄ＋Ｅ＋Ｈ
センサユニット３４：領域Ｆ＋Ｉ
【００３７】
すなわち、本発明にかかる空気調和機の室内機においては、センサユニット２６，２８で検知できる領域と、センサユニット３０，３２，３４で検知できる領域が一部重なっており、領域Ａ〜Ｉの数よりも少ない数のセンサユニットを使用して各領域Ａ〜Ｉにおける人の在否を検知するようにしている。
【００３８】
また、少なくとも三つの人体検知センサを室内機の上部に取り付けることで、室内における人体の位置を室内機に対して遠近方向と左右方向、すなわち室内フロアのどこにいるのかを二次元的に把握することができる。図７は三つの人体検知センサを設けた場合の検知される領域を示しており、図７の例では、室内機の近傍の領域における人の在否が一つの人体検知センサで検知され、室内機から遠い領域における人の在否が二つの人体検知センサで検知される。
【００３９】
図６に戻って本実施の形態をさらに説明するが、以下の説明ではセンサユニット２６，２８，３０，３２，３４を第１のセンサ２６、第２のセンサ２８、第３のセンサ３０、第４のセンサ３２、第５のセンサ３４という。また、領域Ｃ，Ｄ，Ｅ，Ｆは二つのセンサで検知されるので、重なり領域というのに対し、重なり領域以外の領域（領域Ａ，Ｂ，Ｇ，Ｈ，Ｉ）は一つのセンサで検知されるので、通常領域という。また、重なり領域は、左の重なり領域Ｃ，Ｄと右の重なり領域Ｅ，Ｆに分けられる。
【００４０】
図８は、第１乃至第５のセンサ２６，２８，３０，３２，３４を使用して、領域Ａ〜Ｉの各々に後述する領域特性を設定するためのフローチャートで、図９は、第１乃至第５のセンサ２６，２８，３０，３２，３４を使用して、領域Ａ〜Ｉのどの領域に人がいるか否かを判定するフローチャートであり、これらのフローチャートを参照しながら人の位置判定方法について以下説明する。
【００４１】
ステップＳ１において、所定の周期Ｔ１（例えば、５秒）で左の重なり領域における人の在否がまず判定され、ステップＳ２において、所定の条件で所定のセンサ出力をクリアする。
【００４２】
表１は、左の重なり領域の判定方法を示しており、表１に示される三つの反応結果のいずれかに該当する場合は、第１のセンサ２６及び第３のセンサ３０の出力をクリアする。ここで、１は反応有り、０は反応無し、クリアは１→０にすることと定義する。
【００４３】
【表１】
0004262771.tif 000002
【００４４】
ステップＳ３では、上述した所定の周期Ｔ１で右の重なり領域における人の在否がさらに判定され、ステップＳ４において、所定の条件で所定のセンサ出力をクリアする。
【００４５】
表２は、右の重なり領域の判定方法を示しており、表２に示される三つの反応結果のいずれかに該当する場合は、第２のセンサ２８及び第５のセンサ３４の出力をクリアする。
【００４６】
【表２】
0004262771.tif 000003
【００４７】
また、表１及び表２に示される六つの反応結果のいずれかに該当する場合は、第４のセンサ３２の出力もクリアし、ステップＳ５に移行する。ステップＳ５においては、上述した所定の周期Ｔ１で通常領域における人の在否が表３に基づいて判定され、ステップＳ６において、全てのセンサ出力をクリアする。
【００４８】
【表３】
0004262771.tif 000004
【００４９】
さらに、図１０を参照して第１乃至第３のセンサ２６，２８，３０からの出力のみを使用して領域Ａ，Ｂ，Ｃにおける人の在否を判定する場合について説明する。
【００５０】
図１０に示されるように、時間ｔ１の直前の周期Ｔ１において第１乃至第３のセンサ２６，２８，３０がいずれもＯＦＦ（パルス無し）の場合、時間ｔ１において領域Ａ，Ｂ，Ｃに人はいないと判定する（Ａ＝０，Ｂ＝０，Ｃ＝０）。次に、時間ｔ１から周期Ｔ１後の時間ｔ２までの間に第１のセンサ２６のみＯＮ信号を出力し（パルス有り）、第２及び第３のセンサ２８，３０がＯＦＦの場合、時間ｔ２において領域Ａに人がいて、領域Ｂ，Ｃには人がいないと判定する（Ａ＝１，Ｂ＝０，Ｃ＝０）。さらに、時間ｔ２から周期Ｔ１後の時間ｔ３までの間に第１及び第３のセンサ２６，３０がＯＮ信号を出力し、第２のセンサ２８がＯＦＦの場合、時間ｔ３において領域Ｃに人がいて、領域Ａ、Ｂには人がいないと判定する（Ａ＝０，Ｂ＝０，Ｃ＝１）。以下、同様に周期Ｔ１毎に各領域Ａ，Ｂ，Ｃにおける人の在否が判定される。
【００５１】
実際には、第１乃至第５のセンサ２６，２８，３０，３２，３４を使用して、領域Ａ〜Ｉのどの領域に人が存在するかどうかの判定が行われ、表４は全てのセンサ２６，２８，３０，３２，３４からの出力を使用して各領域Ａ〜Ｉにおける人の在否判定結果を示している。
【００５２】
【表４】
0004262771.tif 000005
【００５３】
なお、表４において、表１乃至表３に示される位置判定以外の位置判定は、ステップＳ１，Ｓ３，Ｓ５におけるそれぞれの判定結果を組み合わせて行っている。
【００５４】
この判定結果に基づいて各領域Ａ〜Ｉを、人が良くいる第１の領域（良くいる場所）、人のいる時間が短い第２の領域（人が単に通過する領域、滞在時間の短い領域等の通過領域）、人のいる時間が非常に短い第３の領域（壁、窓等人が殆ど行かない非生活領域）とに判別する。以下、第１の領域、第２の領域、第３の領域をそれぞれ、生活区分Ｉ、生活区分II、生活区分IIIといい、生活区分Ｉ、生活区分II、生活区分IIIはそれぞれ、領域特性Ｉの領域、領域特性IIの領域、領域特性IIIの領域ということもできる。また、生活区分I（領域特性I）、生活区分II（領域特性II）を併せて生活領域（人が生活する領域）とし、これに対し、生活区分III（領域特性III）を非生活領域（人が生活しない領域）とし、人の在否の頻度により生活の領域を大きく分類してもよい。
【００５５】
この判別は、図８のフローチャートにおけるステップＳ７以降で行われ、この判別方法について図１１及び図１２を参照しながら説明する。
【００５６】
図１１は、一つの和室とＬＤ（居間兼食事室）とキッチンとからなる１ＬＤＫのＬＤに本発明にかかる空気調和機の室内機を設置した場合を示しており、図１１における楕円で示される領域は被験者が申告した良くいる場所を示している。
【００５７】
上述したように、周期Ｔ１毎に各領域Ａ〜Ｉにおける人の在否が判定されるが、周期Ｔ１の反応結果（判定）として１（反応有り）あるいは０（反応無し）を出力し、これを複数回繰り返した後、ステップＳ７において、所定の空調機の累積運転時間が経過したかどうかを判定する。ステップＳ７において所定時間が経過していないと判定されると、ステップＳ１に戻る一方、所定時間が経過したと判定されると、各領域Ａ〜Ｉにおける当該所定時間に累積した反応結果を二つの閾値と比較することにより各領域Ａ〜Ｉをそれぞれ生活区分Ｉ〜IIIのいずれかに判別する。
【００５８】
長期累積結果を示す図１２を参照して、さらに詳述すると、第１の閾値及び第１の閾値より小さい第２の閾値を設定して、ステップＳ８において、各領域Ａ〜Ｉの長期累積結果が第１の閾値より多いかどうかを判定し、多いと判定された領域はステップＳ９において生活区分Ｉと判別する。また、ステップＳ８において、各領域Ａ〜Ｉの長期累積結果が第１の閾値より少ないと判定されると、ステップＳ１０において、各領域Ａ〜Ｉの長期累積結果が第２の閾値より多いかどうかを判定し、多いと判定された領域は、ステップＳ１１において生活区分IIと判別する一方、少ないと判定された領域は、ステップＳ１２において生活区分IIIと判別する。
【００５９】
図１２の例では、領域Ｅ，Ｆ，Ｉが生活区分Ｉとして判別され、領域Ｂ，Ｈが生活区分IIとして判別され、領域Ａ，Ｃ，Ｄ，Ｇが生活区分IIIとして判別される。
【００６０】
また、図１３は別の１ＬＤＫのＬＤに本発明にかかる空気調和機の室内機を設置した場合を示しており、図１４はこの場合の長期累積結果を元に各領域Ａ〜Ｉを判別した結果を示している。図１３の例では、領域Ｃ，Ｅ，Ｇが生活区分Ｉとして判別され、領域Ａ，Ｂ，Ｄ，Ｈが生活区分IIとして判別され、領域Ｆ，Ｉが生活区分IIIとして判別される。
【００６１】
なお、上述した領域特性（生活区分）の判別は所定時間毎に繰り返されるが、判別すべき室内に配置されたソファー、食卓等を移動することがない限り、判別結果が変わることは殆どない。
【００６２】
次に、図９のフローチャートを参照しながら、各領域Ａ〜Ｉにおける人の在否の最終判定について説明する。
【００６３】
ステップＳ２１〜Ｓ２６は、上述した図８のフローチャートにおけるステップＳ１〜Ｓ６と同じなので、その説明は省略する。ステップＳ２７において、所定数Ｍ（例えば、１５回）の周期Ｔ１の反応結果が得られたかどうかが判定され、周期Ｔ１は所定数Ｍに達していないと判定されると、ステップＳ２１に戻る一方、周期Ｔ１が所定数Ｍに達したと判定されると、ステップＳ２８において、周期Ｔ１×Ｍにおける反応結果の合計を累積反応期間回数として、１回分の累積反応期間回数を算出する。この累積反応期間回数の算出を複数回繰り返し、ステップＳ２９において、所定回数分（例えば、Ｎ＝４）の累積反応期間回数の算出結果が得られたかどうかが判定され、所定回数に達していないと判定されると、ステップＳ２１に戻る一方、所定回数に達したと判定されると、ステップＳ３０において、既に判別した領域特性と所定回数分の累積反応期間回数を元に各領域Ａ〜Ｉにおける人の在否を推定する。
【００６４】
なお、ステップＳ３１において累積反応期間回数の算出回数（Ｎ）から１を減算してステップＳ２１に戻ることで、所定回数分の累積反応期間回数の算出が繰り返し行われることになる。
【００６５】
表５は最新の１回分（時間Ｔ１×Ｍ）の反応結果の履歴を示しており、表５中、例えばΣＡ０は領域Ａにおける１回分の累積反応期間回数を意味している。
【００６６】
【表５】
0004262771.tif 000006
【００６７】
ここで、ΣＡ０の直前の１回分の累積反応期間回数をΣＡ１、さらにその前の１回分の累積反応期間回数をΣＡ２・・・とし、領域における過去の数回分の履歴（例えば、ΣＡ３、ΣＡ２、ΣＡ１、ΣＡ０の４回分）と生活区分と累積反応期間回数から人の在否を推定する。
【００６８】
次に、上述した人の在否判定から時間Ｔ１×Ｍ後には、同様に過去の４回分の履歴と生活区分と累積反応期間回数から人の在否の推定が行われる。
【００６９】
すなわち、本発明にかかる空気調和機の室内機においては、判別領域Ａ〜Ｉの数よりも少ない数のセンサを使用して人の在否を推定することから、所定周期毎の推定では人の位置を誤る可能性があるので、重なり領域かどうかに関わらず単独の所定周期では人の位置推定を行うことを避け、所定周期毎の領域判定結果を長期累積した領域特性と、所定周期毎の領域判定結果をＮ回分累積し、求めた各領域の累積反応期間回数の過去の履歴から人の所在地を推定することで、確率の高い人の位置推定結果を得るようにしている。
【００７０】
表６は、このようにして人の在否を判定し、Ｔ１＝５秒、Ｍ＝１２回に設定した場合の在推定に要する時間、不在推定に要する時間を示している。
【００７１】
【表６】
0004262771.tif 000007
【００７２】
このようにして、本発明にかかる空気調和機の室内機により空調すべき領域を第１乃至第５のセンサ２６，２８，３０，３２，３４により複数の領域Ａ〜Ｉに区分した後、各領域Ａ〜Ｉの領域特性（生活区分Ｉ〜III）を決定し、さらに各領域Ａ〜Ｉの領域特性に応じて在推定に要する時間、不在推定に要する時間を変更するようにしている。
【００７３】
すなわち、空調設定を変更した後、風が届くまでには１分程度要することから、短時間（例えば、数秒）で空調設定を変更しても快適性を損なうのみならず、人がすぐいなくなるような場所に対しては、省エネの観点からあまり空調を行わないほうが好ましい。そこで、各領域Ａ〜Ｉにおける人の在否をまず検知し、特に人がいる領域の空調設定を最適化している。
【００７４】
詳述すると、生活区分IIと判別された領域の在否推定に要する時間を標準として、生活区分Ｉと判別された領域では、生活区分IIと判別された領域より短い時間間隔で人の存在が推定されるのに対し、その領域から人がいなくなった場合には、生活区分IIと判別された領域より長い時間間隔で人の不存在を推定することにより、在推定に要する時間を短く、不在推定に要する時間は長く設定されることになる。逆に、生活区分IIIと判別された領域では、生活区分IIと判別された領域より長い時間間隔で人の存在が推定されるのに対し、その領域から人がいなくなった場合には、生活区分IIと判別された領域より短い時間間隔で人の不存在を推定することにより、在推定に要する時間を長く、不在推定に要する時間は短く設定されることになる。さらに、前述のように長期累積結果によりそれぞれの領域の生活区分は変わり、それに応じて、在推定に要する時間や不在推定に要する時間も可変設定されることになる。
【００７５】
（風向制御）
また、各領域Ａ〜Ｉにおける空調設定に応じて、室内ファン８の回転数制御及び上下羽根１２と左右羽根１３の風向制御が行われるが、これらの制御について以下説明する。
【００７６】
暖房時の風向制御は、人がいると判定された領域における人の足元手前に風向きを制御することで足元近傍に温風を到達させ、冷房時の風向制御は、人の頭上上方に風向きを制御することで頭上上方に冷風を到達させる。風向きは室内ファン８の回転数と、上下羽根１２あるいは左右羽根１３の角度により調節する。
【００７７】
図１５は、上下羽根１２の回転制御を示しており、空気調和機停止時には、図１５（ａ）に示されるように、前面パネル４と上下羽根１２と中羽根１４は全て閉塞した状態にある。
【００７８】
冷房時は、吹き出し空気（冷風）を人の頭上上方に到達させるため（冷房天井気流）、図１５（ａ）に示される状態から図１５（ｂ）に示される状態を経て図１５（ｃ）に示される状態に至る。まず、アーム１８，２０が駆動制御されて前面パネル４が前面吸込口２ａから離反するとともに、アーム２２，２４が駆動制御されて上下羽根１２が吹出口１０から離反する。
【００７９】
図１５（ｃ）の状態では、吹出口１０から吹き出される空気は、上下羽根１２により水平方向に導かれるが、上下羽根１２の下流側端部が上方へ湾曲しているため、部屋の遠方まで空気を送ることができる。この時、吹出口１０の上方、すなわち前面パネル４の下方は中羽根１４により閉塞されており、吹出口１０から吹き出した空気の一部が前面吸込口２ａに導かれることはない。
【００８０】
一方、暖房時は、吹き出し空気（温風）を人の足元近傍に到達させるため（暖房足元気流）、図１５（ａ）に示される状態から図１５（ｂ）に示される状態を経て図１５（ｄ）に示される状態に至る。図１５（ｄ）の状態では、吹出口１０から吹き出される空気は、上下羽根１２により斜め下方に導かれるが、上下羽根１２の下流側端部が本体側へ湾曲しているため、部屋の上方に溜まりやすい暖かい空気を部屋の下方に送ることができる。
【００８１】
なお、図１５（ｅ）は、安定前の冷房時に利用され、吹き出し空気は人体に向けられる（人体向け気流）。
【００８２】
図１６は、各領域Ａ〜Ｉの空調を行う場合の室内ファン８の設定回転数を示しており、Ａ１，Ａ２，Ａ３は室内機からそれぞれ近距離、中距離、遠距離にある領域の基準回転数で、Ａ４は距離が同じ場合の領域の違いによる回転数差分であり、例えばそれぞれ次のように設定される。
Ａ１：８００ｒｐｍ（暖房時）、７００ｒｐｍ（冷房時）
Ａ２：１０００ｒｐｍ（暖房時）、９００ｒｐｍ（冷房時）
Ａ３：１２００ｒｐｍ（暖房時）、１１００ｒｐｍ（冷房時）
Ａ４：１００ｒｐｍ（冷暖共通）
【００８３】
ここで、各領域における室内機からの距離、室内機正面からの角度、高低差等、室内機との位置関係を表す表現として、相対位置という表現を導入する。
【００８４】
また、各領域において空調がし易い、空調がし難い度合いを空調要求度という表現により表し、空調要求度が高いほど空調がよりし難い、空調要求度が低いほど空調がよりし易いとする。例えば、室内機からの距離が遠いほど吹き出し空気が届き難く空調がし難いので空調要求度が高くなる。即ち、空調要求度と室内機からの相対位置には密接な関連性があり、本実施の形態では、室内機からの相対位置に応じて空調要求度を定める。
【００８５】
したがって、各領域Ａ〜Ｉの空調を行う場合の室内ファン８の設定回転数は、空調要求度が高いほど高く設定されることを意味している。すなわち、空調すべき領域の位置が室内機より遠いほど室内ファン８の設定回転数は高く設定されるとともに、室内機からの距離が同じ場合には室内機の正面より左右にずれた領域ほど室内ファン８の設定回転数は高く設定される。また、空調すべき領域が一つの場合、その領域の設定回転数（風量）に設定され、空調すべき領域が複数の場合、空調要求度が高い領域の設定回転数に設定される。
【００８６】
また、図１７は、暖房時の上下羽根１２と左右羽根１３の設定角度を示しており、Ｂ１，Ｂ２，Ｂ３は室内機からそれぞれ近距離、中距離、遠距離にある領域の基準上下羽根角度で、Ｂ４は距離が同じ場合の領域の違いによる上下羽根の角度差分であるのに対し、Ｃ１及びＣ２は左右領域の基準左右羽根角度（左回りが正方向）で、Ｃ３及びＣ４は領域の違いによる左右羽根１３の角度差分であり、例えばそれぞれ次のように設定される。なお、上下羽根１２の角度とは、羽根が上に凸の状態で羽根の前後端を結んだ線が水平の場合を０°とし、この位置を基準にして反時計方向に計測した場合の角度のことである。
Ｂ１：７０°
Ｂ２：５５°
Ｂ３：４５°
Ｂ４：１０°
Ｃ１：０°
Ｃ２：１５°
Ｃ３：３０°
Ｃ４：４５°
【００８７】
すなわち、室内機に近い領域ＡあるいはＢの暖房を行う場合、上下羽根１２は、第１の角度（例えば、７０°）に設定されるとともに、室内ファン８の回転数は第１の回転数（例えば、８００ｒｐｍ）に設定され、領域ＡあるいはＢにおける室内機側の縁部（人の足元手前）に風向を制御し、足元近傍に温風を到達させるようにしている。また、室内機から中距離にある領域Ｃ，Ｄ，ＥあるいはＦの暖房を行う場合、上下羽根１２は、第１の角度より小さい第２の角度（例えば、５５°）に設定されるとともに、室内ファン８の回転数は第１の回転数より高い第２の回転数（例えば、１０００ｒｐｍ）に設定され、領域Ｃ，Ｄ，ＥあるいはＦにおける室内機側の縁部（人の足元手前）に風向を制御し、足元近傍に温風を到達させるようにしている。さらに、室内機から最も遠い領域Ｇ，ＨあるいはＩの暖房を行う場合、上下羽根１２は、第２の角度より小さい第３の角度（例えば、４５°）に設定されるとともに、室内ファン８の回転数は第２の回転数より高い第３の回転数（例えば、１２００ｒｐｍ）に設定され、領域Ｇ，ＨあるいはＩにおける室内機側の縁部（人の足元手前）に風向を制御し、足元近傍に温風を到達させるようにしている。
【００８８】
図１８は、立ち上がりあるいは不安定領域の冷房時の上下羽根１２と左右羽根１３の設定角度を示しており、Ｅ１，Ｅ２，Ｅ３は室内機からそれぞれ近距離、中距離、遠距離にある領域の基準上下羽根角度で、Ｅ４は距離が同じ場合の領域の違いによる上下羽根の角度差分であるのに対し、Ｆ１及びＦ２は左右領域の基準左右羽根角度（左回りが正方向）で、Ｆ３及びＦ４は領域の違いによる左右羽根１３の角度差分であり、例えばそれぞれ次のように設定される。なお、立ち上がりとは、空気調和機の運転開始時のことで、不安定領域とは、現在の室内の空調状態が、設定した条件（例えば設定温度）になっていない状態のことである。
Ｅ１：５０°
Ｅ２：３５°
Ｅ３：２５°
Ｅ４：１０°
Ｆ１：０°
Ｆ２：１５°
Ｆ３：２５°
Ｆ４：３５°
【００８９】
また、図１９は、安定領域の冷房時の上下羽根１２と左右羽根１３の設定角度を示しており、Ｈ１は天井気流の場合の基準上下羽根角度で、Ｈ２はにがし気流の場合の基準上下羽根角度で、Ｈ３は距離の違いによる上限羽根角度差分であるのに対し、Ｉ１及びＩ２は左右領域の基準左右羽根角度（左回りが正方向）で、Ｉ３及びＩ４は領域の違いによる左右羽根１３の角度差分であり、例えばそれぞれ次のように設定される。なお、安定領域とは、現在の室内の空調状態が、設定した条件（例えば設定温度）になっている状態のことである。
Ｈ１：１８０°
Ｈ２：１９０°
Ｈ３：５°
Ｉ１：０°
Ｉ２：１５°
Ｉ３：２５°
Ｉ４：３５°
【００９０】
ここで、天井気流とは、図１５（ｃ）に示されるように、上下羽根１２を吹出口１０の下部に位置させて吹き出し風を全て羽根の凹面で受けて風を送り出した場合の気流のことであり、にがし気流とは、上下羽根１２を天井気流時より多少上部に位置させて、吹き出し風の一部（微量）を羽根の凸面側（羽根の下方）にも流し羽根凸面に結露が発生しにくい状態にして風を送り出した場合の気流のことである。
【００９１】
室内機に近い領域ＡあるいはＢの冷房を行う場合、上下羽根１２は、水平より所定角度（例えば、５°）だけ下方に設定され、室内ファン８の回転数は第１の回転数（暖房時の第１の回転数より少ない回転数で、例えば、７００ｒｐｍ）に設定され、領域ＡあるいはＢの頭上上方に冷風を到達させ、冷気がシャワー状に落ちてくるように設定されている。また、室内機から中距離にある領域Ｃ，Ｄ，ＥあるいはＦの冷房を行う場合、上下羽根１２は、略水平に設定され、室内ファン８の回転数は第１の回転数より高い第２の回転数（暖房時の第２の回転数より少ない回転数で、例えば、９００ｒｐｍ）に設定され、領域Ｃ，Ｄ，ＥあるいはＦの頭上上方に冷風を到達させるように設定されている。さらに、室内機から最も遠い領域Ｇ，ＨあるいはＩの冷房を行う場合、上下羽根１２は、水平より所定角度（例えば、５°）だけ上方に設定され、室内ファン８の回転数は第２の回転数より高い第３の回転数（暖房時の第３の回転数より少ない回転数で、例えば、１１００ｒｐｍ）に設定され、領域Ｇ，ＨあるいはＩの頭上上方に冷風を到達させるように設定されている。
【００９２】
次に、空調すべき領域の数に応じて行われる風向制御について図２０のフローチャートを参照しながら説明する。
【００９３】
空気調和機の運転開始後、ステップＳ４１において、領域Ａ〜Ｉにおける人の在否判定がまず行われ、ステップＳ４２において、人がいると判定された領域が一つ、すなわち空調すべき領域が一つの場合、ステップＳ４３において、その領域に応じて設定された風量、風向に基づいて空調が行われる。ステップＳ４２において、空調すべき領域が一つではないと判定されると、ステップＳ４４において、空調すべき領域が二つかどうかを判定し、空調すべき領域が二つの場合、ステップＳ４５に移行する。
【００９４】
ステップＳ４５においては、風量は空調要求度の高い領域の設定風量に設定され、二つの領域の配置モードを図２１に示されるように五つのモードのいずれかに識別し、次のステップＳ４６において、識別されたモードに応じて表７のように制御する。
【表７】
0004262771.tif 000008
【００９５】
ここで、モード１は中距離であり、かつ室内機正面をはさんで隣接する２領域の場合を表し、モード２は室内機との角度が略一致し、前後関係に隣接する２領域の場合を表している。また、モード３は室内機との角度が略一致し、前後関係に離間する２領域の場合を表し、モード４は室内機との距離が略一致し、角度が異なる２領域の場合を表し、モード５は離間する２領域、換言すれば室内機との距離も角度も異なる２領域の場合を表している。
【００９６】
モード１〜４の上下風向は、暖房時は要求度の低い領域に固定される一方、冷房時は要求度の高い領域に固定される。また、モード５の上下風向は、上下羽根１２の動作を制御して、二つの領域（第１及び第２の領域）のうち、第１の領域に所定時間停留（角度固定）した後、第２の領域に向かって風向を変え、第２の領域に所定時間停留した後、第１の領域向かって風向を変える動作を繰り返す。なお、各領域の停留時間は、例えば室内機からの距離に応じてそれぞれ設定され、室内機からの距離が遠いほど停留時間を長くするのが好ましい。
【００９７】
また、モード１の左右風向は、隣接した二つの領域の中央に固定され、モード２及び３の場合、二つの領域が室内機から見て距離の異なる略同一方向にあると見なして、その左右風向は、要求度の高い領域に固定される。さらに、モード４及び離間する二つの領域の配置からなるモード５の左右風向は、上下羽根１２の制御と同様に左右羽根１３の動作を制御して、第１の領域に所定時間停留した後、第２の領域に向かって風向を変え、第２の領域に所定時間停留した後、第１の領域に向かって風向を変える動作を繰り返す。なお、各領域の停留時間は、各領域に対する室内機からの相対位置、例えば室内機正面からの角度に応じてそれぞれ設定され、室内機正面からの角度が大きいほど停留時間を長くするのが好ましい。
【００９８】
また、ステップＳ４４において空調すべき領域が二つではないと判定されると、ステップＳ４７において、空調すべき三つ以上の領域をその配置に応じて通常モードと特殊モードの二つのモードのいずれかに判定する。ここで、特殊モードは、中距離であり、かつ室内機正面をはさんで隣接する２領域と、遠距離であり、かつ室内機正面に位置する１領域、計３領域の場合を表し、それを除く三つ以上の領域の場合を通常モードと表す。空調すべき領域が三つ以上の場合、風量は空調要求度の最も高い領域の設定風量に設定され、ステップＳ４７において、図２２（ａ）に示される特殊モード（中央隣接）と判定されると、ステップＳ４８において、風向は図２１のモード１と同様に設定される。
【００９９】
一方、ステップＳ４７において、特殊モードではないと判定されると、ステップＳ４９において、図２２（ｂ）あるいは（ｃ）に示される通常モードの制御が行われ、上下風向は、室内機に最も近い領域の上下羽根１２の設定角度と、室内機に最も遠い領域の上下羽根１２の設定角度との間で上下羽根１２の角度を変更する。
【０１００】
また、通常モードの場合の左右風向は、両端の領域（図２２（ｂ）では領域ＣとＩ、図２２（ｃ）では領域ＣとＨ）における左右羽根１３の設定角度を左端角度及び右端角度に設定して、左端角度に所定時間停留した後、右端側の領域に向かって風向を変え（スイング）、右端角度に所定時間停留した後、左端側の領域に向かって風向を変える動作（スイング）を繰り返す。なお、スイング時の左右羽根１３の作動速度は、上述したモード４及び５における左右羽根１３の作動速度より遅く設定される。また、左端角度あるいは右端角度における停留時間は、例えば室内機正面からの角度に応じてそれぞれ設定され、室内機正面からの角度が大きいほど停留時間を長くするのが好ましい。
【０１０１】
なお、ステップＳ４３，Ｓ４６，Ｓ４８あるいはＳ４９においてそれぞれの空調制御が行われた後、ステップＳ４１に戻る。
【０１０２】
（静電霧化装置の構成）
静電霧化装置は室内機の送風路に設けられ、静電霧化装置により発生した粒子径がナノメートルサイズの静電ミストを空気とともに室内に吹き出すことで、室内空気に含まれる臭気成分や、カーテンや壁面等に付着した臭気成分を除去したり、かびや菌等を除菌したり、アレルギーを引き起こす花粉、ダニ（糞、死骸等を含む）等のアレルゲン物質を抑制したり、静電ミストが持つ肌水分量増加等の肌質改善作用により居住者の肌にうるおい効果を与えたりするためのものである。
【０１０３】
図２３及び図２４は静電ミストを発生する静電霧化装置を備えた室内機を示しており、室内機の一方の端部（室内機正面から見て左側端部）には、室内空気を換気するための換気ファンユニット３８が設けられており、換気ファンユニット３８の後方には、静電ミストを発生させる静電霧化装置４０が設けられている。
【０１０４】
なお、図２３は前面パネル４及び本体２を覆う本体カバー（図示せず）を取り除いた状態を示しており、図２４は室内機本体２と静電霧化装置４０との接続位置を明確にするために本体２の内部に収容されている静電霧化装置４０を本体２とは分離した状態を示している。静電霧化装置４０は実際には図２５に示される形状を呈し、図２３あるいは図２６に示されるように、本体２の左側部に取り付けられている。
【０１０５】
図２４乃至図２６に示されるように、静電霧化装置４０は、前面吸込口２ａ及び上面吸込口２ｂから熱交換器６、室内ファン８等を経由して吹出口１０に連通する主流路４２において、熱交換器６と室内ファン８とをバイパスするバイパス流路４４の途中に設けられており、バイパス流路４４の上流側に高電圧電源となる高電圧トランス４６とバイパス送風ファン４８が設けられ、バイパス流路４４の下流側に静電霧化ユニット５２の放熱を促進する放熱部５０を有する静電霧化ユニット５２とサイレンサ５４が設けられている。したがって、上流側から順に高電圧トランス４６、バイパス送風ファン４８、放熱部５０、静電霧化ユニット５２、及びサイレンサ５４が配置された状態で、バイパス流路４４の一部を構成するケーシング５６に収容されている。このようにケーシング５６に収容することにより、組み立て性が向上し、ケーシング５６で流路を形成するので、省スペース化を図るとともに、バイパス送風ファン４８による空気の流れを、発熱部である高電圧トランス４６や放熱部５０に確実に当てて冷却することができるとともに、静電霧化ユニット５２から発生した静電ミストを確実に空気調和機の吹出口１０に導入することができ、発生した静電ミストを被空調室内に放出させることができる。
【０１０６】
また、ケーシング５６は、ケーシング５６の内部を流れる空気流の方向が、主流路４２を流れる空気流の方向に対して、室内機本体２の正面から見て平行にとなるように縦方向に配置されており、これにより室内機本体２の正面から見て換気ファンユニット３８と重なる位置に隣接配置することができ、さらに省スペース化を達成している。
【０１０７】
なお、高電圧トランス４６は必ずしもケーシング５６内に収容する必要はないが、バイパス流路の通風により冷却されるため、温度上昇の抑制あるいは省スペース化の点で、ケーシング５６内に収容するのが好ましい。
【０１０８】
ここで、従来公知の静電霧化ユニット５２について図２７及び図２８を参照しながら説明する。
【０１０９】
図２７に示されるように、静電霧化ユニット５２は、放熱面５８ａと冷却面５８ｂとを有する複数のペルチェ素子５８と、放熱面５８ａに熱的に密着して接続された上述した放熱部（例えば、放熱フィン）５０と、冷却面５８ｂに電気絶縁材（図示せず）を介して熱的に密着して立設された放電電極６０と、この放電電極６０に対し所定距離だけ離隔して配置された対向電極６２とで構成されている。
【０１１０】
また、図２８に示されるように、換気ファンユニット３８の近傍に配置された制御部６４（図２３参照）に、ペルチェ駆動電源６６と高電圧トランス４６は電気的に接続されており、ペルチェ素子５８及び放電電極６０はペルチェ駆動電源６６及び高電圧トランス４６にそれぞれ電気的に接続されている。
【０１１１】
なお、静電霧化ユニット３０として放電電極３８から高電圧放電させて静電ミストを発生させるためには、対向電極４０を設けなくても可能である。例えば、放電電極３８に高電圧電源の一方の端子を接続し、他方の端子をフレーム接続するようにしておけば、フレーム接続された構造体の放電電極３８に近接した部分と放電電極３８との間で放電することとなる。そのような構成の場合には、そのフレーム接続された構造体を対向電極４０と見なすことができる。
【０１１２】
上記構成の静電霧化ユニット５２において、制御部６４によりペルチェ駆動電源６６を制御してペルチェ素子５８に電流を流すと、冷却面５８ｂから放熱面５８ａに向かって熱が移動し、放電電極６０の温度が低下することで放電電極６０に結露する。さらに、制御部６４により高電圧トランス４６を制御して、結露水が付着した放電電極６０に高電圧を印可すると、結露水に放電現象が発生して粒子径がナノメートルサイズの静電ミストが発生する。なお、本実施の形態においては、高電圧トランス４６としてマイナス高電圧電源を用いているので、静電ミストは負に帯電している。
【０１１３】
また、本実施の形態においては、図２９に示されるように、主流路４２は、本体２を構成する台枠６８の後部壁６８ａと、この後部壁６８ａの両端部より前方に延びる両側壁（図２９では左側壁のみ示す）６８ｂと、台枠６８の下方に形成されたリヤガイダ（送風ガイド）７０の後部壁７０ａと、この後部壁７０ａの両端部より前方に延びる両側壁（図２９では左側壁のみ示す）７０ｂとで形成されており、台枠６８の一方の側壁（左側壁）６８ｂとリヤガイダ７０の一方の側壁（左側壁）７０ｂとでバイパス流路４４を主流路４２から分離する隔壁６８ｃを構成している。さらに、台枠６８の一方の側壁６８ｂにバイパス流路４４のバイパス吸入口４４ａが形成される一方、リヤガイダ７０の一方の側壁７０ｂにバイパス流路４４のバイパス吹出口４４ｂが形成されている。
【０１１４】
空気調和機の場合、冷房時においては、室内機の熱交換器６を通過した低温の空気は相対湿度が高く、静電霧化装置４０において、水分を補給するためにペルチェ素子５８を備えた場合に、ペルチェ素子５８のピン状の放電電極６０のみならずペルチェ素子５８全体に結露が発生しやすくなる。一方、暖房時においては、熱交換器６を通過した高温の空気は相対湿度が低いため、ペルチェ素子５８の放電電極６０に結露しない可能性が極めて高い。
【０１１５】
そこで上記構成のように、主流路４２とバイパス流路４４を隔壁６８ｃで分離し、静電ミストを発生させる静電霧化装置４０をバイパス流路４４に設けたことにより、熱交換器６を通過せず温湿度調整がなされていない空気が静電霧化装置４０に供給される。これにより、冷房時においては静電霧化ユニット５２のペルチェ素子５８全体に結露が発生することを有効に防止することで安全性が向上する。また、暖房時においては静電ミストを確実に発生させることができる。
【０１１６】
バイパス流路４４は、バイパス吸入管４４ｃとケーシング５６とバイパス吹出管４４ｄから構成されており、台枠側壁６８ｂに形成されたバイパス吸入口４４ａに一端が接続されたバイパス吸入管４４ｃは左方（左側壁６８ｂに略直交し、前面パネル４に略平行な方向）に延びて、その他端はケーシング５６の一端に接続され、さらにケーシング５６の他端に一端が接続されたバイパス吹出管４４ｄは下方に延びて右方に折曲され、その他端はリヤガイダ７０の一方の側壁７０ｂのバイパス流路２２のバイパス吹出口４４ｂに接続されている。このようにバイパス流路４４の一部をケーシング５６で構成することで、省スペース化を達成することができるとともに、これらを一連に構成することでバイパス吹出管４４ｄを介して静電霧化ユニット５２から静電ミストを主流路４２に向けて確実に誘引することができ、静電ミストを被空調室内に放出させることができる。
【０１１７】
バイパス吸入口４４ａはプレフィルタ７２と熱交換器６との間、すなわちプレフィルタ７２の下流側で熱交換器６の上流側に位置しており、前面吸込口２ａ及び上面吸込口２ｂより吸い込まれた空気に含まれる塵埃はプレフィルタ７２により有効に除去されるので、静電霧化装置４０に塵埃が侵入することを抑制できる。これにより、静電霧化ユニット５２に塵埃が堆積することを有効に防止でき、静電ミストを安定的に放出することができる。
【０１１８】
このように本実施の形態においては、プレフィルタ７２で静電霧化装置４０と主流路４２のプレフィルタを兼ねる構成となっているが、これによりメンテナンスはプレフィルタ７２のみを清掃すればよく、それぞれ別に手入れをする必要がないので、手入れを簡略化することができる。さらには、後述するようなプレフィルタ自動清掃装置を備えた空気調和機においては、プレフィルタ７２に特別の手入れは必要なく、メンテンナンスフリー化を実現することができる。
【０１１９】
一方、バイパス吹出口４４ｂは熱交換器６及び室内ファン８の下流側で吹出口１０の近傍に位置しており、バイパス吹出口４４ｂから吐出された静電ミストが主流路４２の空気流に乗って拡散し部屋全体に充満するように構成されている。このようにバイパス吹出口４４ｂを熱交換器６の下流側に配置したのは、熱交換器６の上流側に配置すると、熱交換器６は金属製のため、荷電粒子である静電ミストは熱交換器６にその大部分（約８〜９割以上）が吸収されるからである。また、バイパス吹出口４４ｂを室内ファン８の下流側に配置したのは、室内ファン８の上流側に配置すると、室内ファン８の内部には乱流が存在し、室内ファン８の内部を通過する空気が室内ファン８の様々な部位に衝突する過程で静電ミストの一部（約５割程度）が吸収されるからである。
【０１２０】
また、バイパス吹出口４４ｂを設けたリヤガイダ７０の一方の側壁７０ｂの主流路４２側は、室内ファン８により空気流に所定の速度が付与されることで、側壁７０ｂの主流路４２側とバイパス流路４４側において圧力差が生じ、バイパス流路４４に対し主流路４２側が相対的に低圧となる負圧部となっており、バイパス流路４４から主流路４２に向かって空気が誘引される。したがって、バイパス送風ファン４８は小容量のもので済み、場合によってはバイパス送風ファン４８を設けなくてもよい。
【０１２１】
さらに、バイパス吹出管４４ｄは、主流路４２との合流点（バイパス吹出口４４ｂ）において主流路４２内の空気流に対し略直交する方向に指向するように隔壁６８ｃ（リヤガイダ７０の側壁７０ｂ）に接続されている。これは、静電霧化ユニット５２は、上述したように放電現象を利用して静電ミストを発生させていることから、必然的に放電音を伴い、放電音には指向性があるからである。したがって、バイパス流路４４と主流路４２の合流点（バイパス吹出口４４ｂ）において、バイパス流路４４を前面パネル４に略平行に接続することで、室内機の前方あるいは斜め前方にいる人に対して、放電音が極力指向しないように構成して騒音を低減することができる。
【０１２２】
また、図３０に示されるように、バイパス吹出管４４ｄを主流路４２との合流点において隔壁６８ｃに対し傾斜させ、主流路４２内の空気流に対し上流側に指向するように接続すると、より一層放電音による騒音の低減に効果がある。
【０１２３】
なお、バイパス吹出管４４ｄの指向する方向が主流路４２内の空気流の下流方向に指向して接続した場合においても、その延長線が吹出口１０から外部に出ないようにしておけば、発生する放電音が吹出口１０から直接外部に出る量が少なく、直接的に使用者の耳に入射することも少ないため、騒音低減効果を奏することができる。
【０１２４】
以上説明したように、主流路４２とバイパス流路４４を隔壁６８ｃで分離し、静電ミストを発生させる静電霧化装置４０を熱交換器６をバイパスして主流路４２に連通するバイパス流路４４に設けたので、熱交換器６を通過せず温湿度調整がなされていない空気が静電霧化装置４０に供給されるので、冷房時においては静電霧化ユニット５２のペルチェ素子５８全体に結露が発生することを有効に防止することで安全性が向上するとともに、暖房時においては静電ミストを確実に発生させることができ、空気調和機の運転モードに関わらず、すなわち、季節に関係なく静電ミストを安定的に発生させることができる。
【０１２５】
次に、プレフィルタ７２に付着した塵埃を吸引して除去する吸引装置を有するプレフィルタ自動清掃装置をさらに設けた空気調和機について説明する。図３１を参照しながら換気ファンユニット３８を説明すると、換気ファンユニット３８は換気専用であっても、プレフィルタ自動清掃装置を有する室内機に設けられた吸引装置の給気用を兼ねるものであってもよい。図３１に示される換気ファンユニット３８は、隔壁６８ｃのバイパス流路４４側でプレフィルタ自動清掃装置の吸引装置８２に組み込まれているが、プレフィルタ自動清掃装置は既に公知なので、図３２を参照しながら簡単に説明する。プレフィルタ自動清掃装置の詳細な構造や運転方法については、特に限定されるものではない。
【０１２６】
図３２に示されるように、プレフィルタ自動清掃装置７４は、プレフィルタ７２の表面に沿って摺動自在の吸引ノズル７６を備えており、吸引ノズル７６はプレフィルタ７２の上下端に設置された一対のガイドレール７８により、プレフィルタ７２と極めて狭い間隙を保って円滑に左右に移動することができ、プレフィルタ７２に付着した塵埃は吸引ノズル７６より吸引して除去される。また、吸引ノズル７６には屈曲自在の吸引ダクト８０の一端が連結され、吸引ダクト８０の他端は吸引量可変の吸引装置８２に連結されている。さらに、吸引装置８２には排気ダクト８４が連結され、室外へ導出されている。
【０１２７】
また、吸引ノズル７６の上下方向の周囲には吸引ノズル７６に沿って摺動自在のベルト（図示せず）が巻回されており、吸引ノズル７６のプレフィルタ７２と対向する面には、プレフィルタ７２の縦長さに略等しい長さのスリット状のノズル開口部が形成される一方、ベルトには、プレフィルタ７２の縦長さの例えば１／４の長さのスリット状の吸引孔が形成されている。
【０１２８】
上記構成のプレフィルタ自動清掃装置７４は、必要に応じてプレフィルタ７２の清掃範囲Ａ，Ｂ，Ｃ，Ｄを順次清掃するが、範囲Ａを吸引清掃する場合、ベルトを駆動してその吸引孔を範囲Ａの位置に固定した状態で、吸引しながら吸引ノズル７６をプレフィルタ７２の右端から左端まで駆動することでプレフィルタ７２の水平方向の範囲Ａが吸引清掃される。
【０１２９】
次に、ベルトを駆動してその吸引孔を範囲Ｂの位置に固定し、この状態で吸引しながら吸引ノズル７６をプレフィルタ７２の左端から右端まで駆動することで今度はプレフィルタ７２の水平方向の範囲Ｂが吸引清掃される。同様に、プレフィルタ７２の範囲Ｃ、Ｄも吸引清掃される。
【０１３０】
プレフィルタ７２に付着し、吸引ノズル７６により吸引された塵埃は吸引ダクト８０、吸引装置８２、排気ダクト８４を経由して室外へ排出される。
【０１３１】
図３１をさらに参照すると、吸引装置８２の吸入路には開口部８６が形成されるとともに、この開口部８６を開閉するためのダンパ８８が設けられており、換気ファンユニット３８は、ダンパ８８が開口部８６を開いた時は換気用として、吸引清掃を行う場合はダンパ８８により開口部８６を閉じてベルトの吸引孔から塵埃を吸引する吸引用として使用される。すなわち、同じ吸引装置８２を使用して吸引清掃機能と換気機能を実現させている。
【０１３２】
なお、図３１には排気ダクト８４は図示されていないが、排気ダクト８４は吸引装置８２の排気口８２ａに接続されている。
【０１３３】
図３３はケーシング５６を持たない静電霧化装置４０Ａを示しており、この静電霧化装置４０Ａは図３４に示されるように室内機本体２に組み込まれる。あるいは、図３４に示される破線領域４０Ｂ（図３１に示される静電霧化装置４０においてバイパス流路４４の下流側に設けられた静電霧化ユニット５２とサイレンサ５４と略同じ位置）に組み込まれる。これらは、静電霧化装置４０Ａを室内機の正面又は上面から見て換気ファンユニット３８と重なる位置に配設するとともに、静電霧化装置４０Ａを換気ファンユニット３８の開口部８６及びダンパ８８の近傍で、換気ファンユニット３８による吸引空気が流れる部分に配置するものである。
【０１３４】
さらに詳述すると、図３３の静電霧化装置４０Ａは、放熱部５０を有する静電霧化ユニット５２とサイレンサ５４が一体的に取り付けられ、放熱部５０を除く静電霧化ユニット５２部分とサイレンサ５４はそれぞれのハウジング（ユニットハウジング９０とサイレンサハウジング９２）に収容され、サイレンサハウジング９２にバイパス吹出管４４ｄの一方が接続されて連通し、バイパス吹出管４４ｄの他方が主流路４２に接続されて連通している。この場合、隔壁６８ｃにより主流路４２から分離され、図示しない本体カバーの左側面との間に形成されて、換気ファンユニット３８、静電霧化装置４０Ａ等が配設された収容部４４ｅが前述したバイパス吸入管４４ｃとケーシング５６との代わりとなるとともに、バイパス吹出管４４ｄまでも収容してバイパス流路４４として構成することになる。
【０１３５】
なお、バイパス吹出管４４ｄは、主流路４２の空気流に対して指向する向きで騒音低減が図れることは上述したとおりであるが、必ずしも必要というものではなく、サイレンサハウジング９２を直接的にバイパス吹出口４４ｂに接続してもよい。これにより、静電霧化装置４０Ａの構成をより簡素化することができる。ただし、騒音低減のために向きの配慮が必要なことはバイパス吹出管４４ｄと同様である。
【０１３６】
これにより、プレフィルタ７２を介して本体２内に吸い込まれる空気は、プレフィルタ７２の下流側のバイパス吸入口４４ａより収容部４４ｅに吸い込まれ、その空気流の方向は、主流路４２を流れる空気流の方向に対して、室内機本体２を正面から見て平行に収容部４４ｅ内を流れることになる。このように収容部４４ｅ内を流れた空気により放熱部５０は冷却されるとともに、ユニットハウジング９０に形成された開口部（図示せず）より静電霧化ユニット５２に取り込まれる。
【０１３７】
このように構成することで、室内機の正面又は上面から見て換気ファンユニット３８と重なる換気ファンユニット３８の周囲空間がバイパス流路４４となり、換気ファンユニット３８、静電霧化装置４０Ａ等の収容部４４ｅを有効に活用して省スペース化を達成することができる。なお、この構成では、高電圧トランス４６は換気ファンユニット３８、静電霧化装置４０Ａ等の収容部４４ｅにおける任意の部位に配置され、バイパス送風ファン４８は設けられない。
【０１３８】
また、このようにバイパス流路４４を、主流路４２を通過する空気流に対して、室内機本体２を正面から見て平行に空気流が流れるように構成することにより、上で詳述したように隔壁６８ｃという簡略な構成で主流路４２とバイパス流路４４を分岐することができるため、容易にバイパス流路４４が形成でき、部品点数を削減することができる。
【０１３９】
さらに、本構成とすることで、静電霧化装置４０Ａのプレフィルタと主流路４２のプレフィルタをプレフィルタ７２で共有化することができる。共有化の効果については、先述の通りであるので、ここでは詳細は省略する。
【０１４０】
なお、換気ファンユニット３８の後部にあたる台枠６８の下部近傍において、室内機と室外機とを接続する配管（図示せず）を引き出せるように開口６８ｄを形成してもよい。上述したバイパス吸入口４４ａは、収容部４４ｅに空気を吸い込むために隔壁６８ｃ（台枠側壁６８ｂ）に形成された収容部４４ｅにおける１つの開口であり、室内機の外部とはプレフィルタ７２を通して連通していたが、台枠６８の下部に形成された開口６８ｄにおいては、収容部４４ｅが室内機の外部と直接連通して周囲の空気を吸い込む開口となる。このような場合には、収容部４４ｅはプレフィルタ７２をもバイパスするバイパス流路となる。したがって、静電霧化装置４０Ａに吸い込まれる空気は開口６８ｄから流入したものとなってプレフィルタ７２を通過しないことになるので、必要に応じて別途静電霧化装置４０Ａ用のプレフィルタを設ければよい。また、開口６８ｄを形成した構成でも室内機の正面又は上面から見て換気ファンユニット３８と重なる位置に静電霧化装置４０Ａが配設されていることは変わらず、収容部４４ｅを有効に活用して省スペース化を達成することができるのは同様である。
【０１４１】
上述したように、バイパス吹出口４４ｂの主流路４２側は、室内ファン８により空気流に所定の速度が付与されることで圧力差が発生して誘引される負圧部となっているので、バイパス送風ファン４８は設けなくても、バイパス吹出管４４ｄを介してバイパス流路である収容部４４ｅから主流路４２に向かって誘引される空気により放熱部５０は冷却され、静電霧化ユニット５２により発生した静電ミストが主流路４２に誘引され、被空調室内に放出させることができる。また、放熱部５０は、破線領域４０Ｂのように開口部８６及びダンパ８８の近傍で、開口部８６に吸い込まれる空気が流れる部分に配置したことから換気ファンユニット３８による吸引空気によっても冷却される。
【０１４２】
なお、図３４に示されるように、静電霧化装置４０Ａの放熱部５０を吸引装置８２に設けられた開口部８６に近接して配置することで、開口部８６に吸い込まれる空気により放熱部５０がより冷却され、静電霧化ユニット５２からの放熱が促進される。また、換気ファンユニット３８として換気専用のファンを使用した場合、ダンパ８８は設けられることがないので、換気ファンユニット３８の吸込口に放熱部５０を近接配置することで、放熱部５０は効率よく冷却される。
【０１４３】
（静電霧化装置の制御方法）
次に、上記構成の静電霧化装置４０，４０Ａを汚れ検知手段の出力に応じて制御するための方法について説明する。
【０１４４】
空気調和機運転中には被空調室内を脱臭、浄化するため静電霧化装置４０，４０Ａをできるだけ運転するのが好ましいが、室内空気が塵埃などの各種の粒子状物質で汚れていると、帯電した塵埃などの一部が対向電極６２に付着することで対向電極６２が汚れて静電霧化装置４０，４０Ａの能力が低下し、最悪の場合には、静電霧化装置４０，４０Ａが使用不能になってしまう可能性がある。そのような事態を避け、長期間にわたり脱臭、浄化性能を維持継続するために上記制御は行われる。
【０１４５】
汚れ検知手段としては、室内空気の汚れ度を直接検知するガスセンサ、光学式ホコリセンサ等の汚れセンサや、室内空気の汚れ度を間接的に検知する活動量センサ等が使用される。ガスセンサは臭気ガス、ＣＯ２、水蒸気などの各種のガス成分を直接検知することができるものである。例えば、被空調室内の在室者が喫煙をおこなった際は臭気ガスと同時にタバコ煙、ヤニなどの粒子状物質が放出され、また在室者が調理をおこなった際は臭気ガス、水蒸気などと同時に調理に伴う油煙など各種の粒子状物質が放出されるため、ガスセンサの出力と被空調室内空気中の粒子状物質濃度の相関は極めて高い。このため、通常の生活環境においては、ガスセンサにより直接的に粒子状物質の有無を精度良く検出することができる。このようなガスセンサは、例えば室内機の電源基板に実装してもよく、あるいは室内機のリモコン（遠隔制御装置）受光部の近傍に取り付けられる。
【０１４６】
まず初めに、汚れ検知手段として、室内の汚れを直接検知するガスセンサを使用した場合について、図３５のブロック図及び図３６のフローチャートを参照しながら説明する。
【０１４７】
図３５に示されるように、ガスセンサ（以下、汚れセンサという）１００は室内機に設けられた制御部１０２に駆動回路１０４を介して接続され、制御部１０２にはさらに表示部１０６が接続されている。制御部１０２は記憶部１０８を有し、記憶部１０８には汚れ度の第１の閾値及び第２の閾値が設定されている。また、表示部１０６には空気の汚れ度を表示し、例えばＬＥＤ表示を用いて空気の汚れ度が大きい方から順に赤（大）、橙（中）、緑（清浄）のような複数色で表示したり、ＬＥＤの点灯数によって表示したりされるので、ユーザはこの表示部１０６を確認して空気の汚れ度の状態を容易に知ることができる。
【０１４８】
汚れセンサ１００により検知された室内の汚れ度は駆動回路１０４を介して制御部１０２に入力され、記憶部１０８に設定された第１の閾値あるいは第２の閾値と比較され、比較結果に応じて静電霧化装置４０，４０Ａの能力が制御される。
【０１４９】
図３６のフローチャートを参照しながらさらに詳述すると、ステップＳ５１において空気調和機が運転中の場合には、ステップＳ５２において、汚れセンサ１００により室内の汚れ度が検知される。次のステップＳ５３において、検知された室内空気の汚れ度が第１の閾値と比較され、第１の閾値より小さい場合には、室内空気は「清浄」と判定して、ステップＳ５４において、静電霧化装置４０，４０Ａが運転（連続運転）されるとともに、表示部１０６に「緑」が点灯する。
【０１５０】
一方、ステップＳ５３において、検知された室内空気の汚れ度が第１の閾値以上と判定されると、ステップＳ５５に移行し、検知された室内空気の汚れ度が第１の閾値より大きい第２の閾値と比較される。第２の閾値より小さい場合には、室内空気の汚れ度は「中（普通）」と判定して、ステップＳ５６において、静電霧化装置４０，４０Ａが間欠運転されるとともに、表示部１０６に「橙」が点灯する。この場合、静電霧化装置４０，４０Ａの能力は、例えば運転率５０％に設定され、約１秒間の運転と約１秒間の停止を繰り返すことになり、静電霧化装置４０，４０Ａが発生した静電ミストの効果（室内脱臭浄化）と静電霧化装置４０，４０Ａの汚れ防止効果を両立させている。
【０１５１】
一方、ステップＳ５５において、検知された室内空気の汚れ度が第２の閾値以上と判定されると、ステップＳ５７において静電霧化装置４０，４０Ａの運転を停止し、空気がかなり汚れている場合には静電霧化装置４０，４０Ａを保護するようにしている。
【０１５２】
そして、ステップＳ５４，ステップＳ５６あるいはステップＳ５７において、静電霧化装置４０，４０Ａの連続運転、間欠運転あるいは停止を所定時間継続して能力を制御した後、ステップＳ５２に戻り、汚れセンサ１００により室内空気の汚れ度が再度検知される。
【０１５３】
このように、２つの閾値を用いてきめ細かく静電霧化装置４０，４０Ａの能力を制御することにより、静電霧化装置４０，４０Ａが発生した静電ミストの効果（室内脱臭浄化）と静電霧化装置４０，４０Ａの汚れ防止効果を両立させながら、帯電した各種の粒子状物質が対向電極６２に付着することが防止でき、長期間にわたり安定的に静電霧化装置４０，４０Ａを動作させることができる。
【０１５４】
なお、ステップＳ５７において静電霧化装置４０，４０Ａの運転を停止した場合には、室内空気が汚れている状態が放置されることになる。そのままでは、自然換気などによる汚れの低下を待つことになり時間が掛かる可能性があるので、図２３に示すような換気ファンユニット３８などの換気機能を室内機本体２に設けたり、家屋に備え付けの換気扇が連動するような機能を備えたりして動作させることが望ましい。これにより、静電霧化装置４０，４０Ａが運転される汚れ度まで室内空気の浄化を迅速に行なうことができる。同様に、ステップＳ５６において静電霧化装置４０，４０Ａの能力を制御して運転率を低下させたときも、換気ファンユニット３８などによる換気が行われれば室内空気の浄化を促進することができる。
【０１５５】
また、静電霧化装置４０，４０Ａの能力を制御する方法として、上記説明では運転と停止の運転率の変更により行ったが、これに限るものではなく、静電霧化装置４０，４０Ａの放電電圧の変更などによって行っても良い。
【０１５６】
次に、汚れ検知手段として、室内空気の汚れを間接的に検知する活動量センサを使用し、例えば人体検知センサを活動量センサとして使用した場合について説明する。室内空気の汚れ度を間接的に検知する方法は直接的に検知する方法と比較して精度は低下するが、人体検知センサを人がいる位置を検知して冷暖房の温度と風向の制御に用いている場合には、そのまま活動量センサとして兼用することは極めて容易であり、コストの上昇を抑制して静電霧化装置４０，４０Ａを長期間にわたり安定的に動作させるために使用することができる。
【０１５７】
ここで、上述した「活動量」について説明する。
人の活動量とは人の動きの大きさの度合いを示す概念で、複数の活動量に分類され、例えば「安静」、「活動量大」、「活動量中」、「活動量小」に分類される。
【０１５８】
「安静」とは、ソファで寛いでいる、テレビを視聴している、パソコンを操作している等、同じ場所に人が継続している状態が持続している場合のことで、安静状態が持続した場合、塵埃発生量は極めて少ない。活動量「大」とは、室内の清掃等広域で活動している場合のことで、塵埃発生量は極めて多い。活動量「中」とは、炊事等狭域で活動している場合のことで、塵埃はある程度発生するが、極めて多いとは言えない。活動量「小」とは、食事等同じ場所で多少活動している場合のことで、塵埃発生量は少ない。
【０１５９】
本実施の形態では、人の活動量レベルを複数の領域を含むブロック毎に判定しているので、このブロックについてまず説明する。
【０１６０】
各領域Ａ〜Ｉは、室内機から見て左側、中央、右側にそれぞれ位置する次の三つのブロックに区分される。
第１ブロック：領域Ａ，Ｃ，Ｇ
第２ブロック：領域Ｄ，Ｅ，Ｈ
第３ブロック：領域Ｂ，Ｆ，Ｉ
【０１６１】
次に、人の活動量の分類方法について図３７のフローチャートを参照しながら詳述する。
まずステップＳ６１において、所定時間Ｔ１毎に各センサユニット２６，２８，３０，３２，３４の反応頻度（出力パルス有り）を計測し、ステップＳ６２において、計測回数が所定回数に達したかどうかを判定する。なお、所定時間Ｔ１は、上述した人の在否判定における所定の周期と同じであるが、ここでは、例えば２秒に設定され、計測回数の所定回数は、例えば１５回に設定されるものと仮定し、１５回の計測を総称して１ユニット計測（３０秒間の計測）という。また、ここでいう「計測回数」とは、領域Ａ〜Ｉのいずれかの領域における計測回数のことで、全ての領域Ａ〜Ｉに対し同様の計測が行われる。
【０１６２】
ステップＳ６２において、計測回数が所定回数に達していないと判定されるとステップＳ６１に戻り、計測回数が所定回数に達し１ユニット計測が終了したと判定されると、ステップＳ６３において、４ユニット計測（２分間の計測）が終了したかどうかを判定する。ステップＳ６３において、４ユニット計測が終了していない場合にはステップＳ６１に戻り、４ユニット計測が終了している場合にはステップＳ６４に移行する。
【０１６３】
ステップＳ６４においては、４ユニット計測（現在の１ユニット計測を含め過去４回のユニット計測）のセンサユニット２６，２８，３０，３２，３４の合計反応頻度が所定数（例えば、５回）に達したかどうかを判定し、所定数に達していれば、ステップＳ６５において、「活動量小」と判定された後の合計ユニット計測数（ｐ、詳しくは後述）がクリアされた後、ステップＳ６６に移行する。
【０１６４】
ステップＳ６６においては、全領域Ａ〜Ｉにおけるセンサユニット２６，２８，３０，３２，３４の合計反応頻度が所定数（例えば、４０回）に達したかどうかを判定し、所定数に達している場合には、ステップＳ６７において、「安静」と判定されたブロックを除き在判定された全てのブロックが「活動量大」と判定される一方、所定数に達していない場合には、ステップＳ６８において、４ユニット計測のセンサユニット２６，２８，３０，３２，３４の合計反応頻度が所定数に達した領域の属するブロックが「活動量中」と判定される。ステップＳ６７あるいはステップＳ６８における活動量判定後、ステップＳ６９において、ユニット計測数（ｑ）から１を減算してステップＳ６１に戻る。すなわち、連続する４ユニット計測で各センサユニット２６，２８，３０，３２，３４の合計反応頻度が所定数を超え「活動量大」あるいは「活動量中」と判定された領域の属するブロックは、さらに次回の１ユニット計測後、その時点における４ユニット計測の合計反応頻度が所定数を超えた場合には、引き続き「活動量大」あるいは「活動量中」と判定される。
【０１６５】
また、ステップＳ６４において、４ユニット計測でセンサユニット２６，２８，３０，３２，３４の合計反応頻度が所定数未満と判定されると、ステップＳ７０において、その領域の属するブロックが「安静」かどうかが判定され、「安静」でなければ、ステップ７１において「活動量小」と判定される。次のステップＳ７２において、「活動量小」と判定された後の合計ユニット計測数（ｐ）がカウントされ、ステップＳ７３において、「活動量小」と判定された後６０ユニット計測（３０分間の計測）が終了したかどうかを判定する。
【０１６６】
ステップＳ７３において、６０ユニット計測が終了していないと判定されると、ステップＳ６９に移行する一方、６０ユニット計測が終了したと判定されると、その領域だけが当該領域の属するブロックにある場合に限り、ステップＳ７４において「安静」と判定された後、ステップＳ６９に移行する。すなわち、ステップＳ６９に移行することで、次の１ユニット計測を含む過去４回のユニット計測で各センサユニット２６，２８，３０，３２，３４の合計反応頻度に応じて、各ブロックは「活動量大」、「活動量中」、「活動量小」あるいは「安静」と新たに判定されることになる。
【０１６７】
空気調和機の電源をＯＮした後の活動量計測当初は、どの領域の活動量も不明であるが、このフローチャートによれば、計測開始から４ユニット計測が終了して初めて、各領域Ａ〜Ｉの属するブロックにおいて「活動量大」、「活動量中」あるいは「活動量小」の判定が行われ、６０ユニット計測が終了して初めて、「安静」の判定が行われることになる。したがって、計測開始後しばらくは「安静」のブロックは存在しないので、ステップＳ７０においてＮＯと判定され、ステップＳ７１において「活動量小」と判定される。その後、「活動量小」と継続して判定されたブロックは、６０ユニット計測終了後、ステップＳ７４において「安静」と判定され、その後４ユニット計測のセンサユニット２６，２８，３０，３２，３４の合計反応頻度が所定数未満であれば、引き続き「安静」と判定される。
【０１６８】
なお、ステップＳ６５において、「活動量小」と判定された後の合計ユニット計測数（ｐ）をクリアするのは、「安静」との判定は、「活動量小」の判定が起点となるからである。
【０１６９】
要約すると、各センサユニット２６，２８，３０，３２，３４は、人体検知手段としての機能に加え、活動量検知手段としても機能し、図３７のフローチャートにより、各領域Ａ〜Ｉの属するブロックは、例えば次のように判定される。
（１）安静
センサ反応頻度が５回未満／２分が３０分以上継続した領域のみあるブロック
（２）活動量大
全領域Ａ〜Ｉのセンサ反応頻度の総和が４０回以上／２分で、少なくとも一つの領域でセンサ反応頻度が２分間で５回以上継続した場合において、「安静」と判定されたブロックを除く全てのブロック
（３）活動量中
全領域Ａ〜Ｉのセンサ反応頻度の総和が４０回未満／２分の場合に、センサ反応頻度が２分間で５回以上継続した領域の属するブロック
（４）活動量小
安静、活動量大、活動量中と判定されなかった領域の属するブロック
【０１７０】
以上、複数の人体検知センサを使用して、各領域Ａ〜Ｉにおける人の活動量の分類方法について説明したが、各領域Ａ〜Ｉをこのように分類して、図３６のフローチャートと略同様に静電霧化装置４０，４０Ａを制御することもできる。
【０１７１】
すなわち、図３６のフローチャートにおけるステップＳ５３において、領域Ａ〜Ｉのいずれかの領域に活動量「大」及び「中」の領域があるかどうかを判定し、活動量「大」及び「中」の領域がない場合に、ステップＳ５４に移行する一方、領域Ａ〜Ｉのいずれかの領域に活動量「大」あるいは「中」の領域がある場合に、ステップＳ５５において、領域Ａ〜Ｉのいずれかの領域に活動量「大」の領域があるかどうかを判定し、活動量「大」の領域がない場合に、ステップＳ５６に移行し、活動量「大」の領域がある場合に、ステップＳ５７に移行すればよい。
【０１７２】
また、本発明においては、室内機が設置された部屋を一つのブロックとして、一つの人体検知センサを使用して当該ブロックにいる人の活動量を分類し、図３６のフローチャートと略同様に、静電霧化装置４０，４０Ａを制御することもできる。
【０１７３】
さらに詳述すると、一つの人体検知センサの反応頻度に第１及び第２の閾値を設定し、反応頻度に応じて室内機が設置された部屋の活動量を「大」「中」「安静（活動量小を含む）」に分類することができる。人体検知センサの反応頻度としては、所定時間内のセンサ反応頻度の総和であってもよく、所定時間内のセンサ反応頻度の継続時間であってもよい。
【０１７４】
さらに、汚れセンサ及び活動量センサにそれぞれ汚れ指数Ｎｇ，Ｎａを設定して、この汚れ指数Ｎｇ，Ｎａに応じて静電霧化装置４０，４０Ａを制御することもでき、汚れ指数Ｎｇ，Ｎａは、例えば次のように設定される。
（ｉ）汚れセンサの場合
汚れ度「大」：  汚れ指数Ｎｇ＝２
汚れ度「中」：  汚れ指数Ｎｇ＝１
汚れ度「清浄」：汚れ指数Ｎｇ＝０
（ii）活動量センサの場合
活動量「大」：  汚れ指数Ｎａ＝２
活動量「中」：  汚れ指数Ｎａ＝１
活動量「小」あるいは「安静」：汚れ指数Ｎａ＝０
【０１７５】
次に、汚れ指数Ｎｇ，Ｎａに応じた静電霧化装置４０，４０Ａの制御方法につき、図３８のフローチャートを参照しながら説明する。
【０１７６】
まず、ステップＳ８１において空気調和機が運転中の場合には、ステップＳ８２において、汚れセンサ１００により室内空気の汚れ度が検知され、検知された汚れ度に応じて汚れ指数Ｎｇが設定される。次のステップＳ８３において、活動量センサにより室内の活動量が検知され、検知された活動量に応じて汚れ指数Ｎａが設定される。
【０１７７】
ステップＳ８４において、設定された二つの汚れ指数Ｎｇ，Ｎａが合算されて汚れ指数Ｎ（Ｎ＝Ｎｇ＋Ｎａ）が求められ、ステップＳ８５において、Ｎ＝０かどうかを判定する。Ｎ＝０と判定されると、汚れセンサにより検知された汚れ度は「清浄」で、かつ活動量センサにより検知された活動量は「小」あるいは「安静」なので、ステップＳ８６において、静電霧化装置４０，４０Ａが運転（連続運転）されるとともに、表示部１０６に「緑」が点灯する。
【０１７８】
一方、ステップＳ８５において、Ｎ＝０ではないと判定されると、ステップＳ８７に移行し、Ｎ＝１かどうかを判定する。Ｎ＝１と判定されると、汚れセンサにより検知された汚れ度は「清浄」でも、活動量センサにより検知された活動量は「中」か、あるいは、活動量センサにより検知された活動量は「小」あるいは「安静」でも、汚れセンサにより検知された汚れ度は「中」なので、室内空気は多少なりとも汚れていると判定し、ステップＳ８８において、静電霧化装置４０，４０Ａが間欠運転されるとともに、表示部１０６に「橙」が点灯する。この場合、静電霧化装置４０，４０Ａの能力は、例えば運転率５０％に設定され、約１秒間の運転と約１秒間の停止を繰り返すことになり、静電霧化装置４０，４０Ａが発生した静電ミストの効果（室内脱臭浄化）と静電霧化装置４０，４０Ａの汚れ防止効果を両立させている。
【０１７９】
一方、ステップＳ８７において、Ｎ＝１ではないと判定されると、Ｎ≧２となるので、汚れセンサにより検知された汚れ度は「大」か、活動量センサにより検知された活動量は「大」か、あるいは、汚れセンサにより検知された汚れ度は「中」で、かつ活動量センサにより検知された活動量は「中」なので、室内空気はかなり汚れていると判定し、ステップＳ８９において静電霧化装置４０，４０Ａの運転を停止し、静電霧化装置４０，４０Ａを保護するようにしている。
【０１８０】
このように、汚れセンサ及び活動量センサにより静電霧化装置４０，４０Ａの能力をきめ細かく制御することにより、静電霧化装置４０，４０Ａが発生した静電ミストの効果（室内脱臭浄化）と静電霧化装置４０，４０Ａの汚れ防止効果を両立させながら、帯電した各種の粒子状物質が対向電極６２に付着することが防止でき、長期間にわたり安定的に静電霧化装置４０，４０Ａを動作させることができる。
【０１８１】
なお、ステップＳ８６，ステップＳ８８あるいはステップＳ８９において、静電霧化装置４０，４０Ａの連続運転、間欠運転あるいは停止を所定時間継続して能力制御した後、ステップＳ８２に戻り、汚れセンサ１００により室内空気の汚れ度が再度検知されるとともに、ステップＳ８３において、活動量センサにより室内にいる人の活動量が再度検知される。
【０１８２】
また、汚れセンサ１００は煙草の煙等の汚れ、調理による油煙の汚れを直接検知するため精度が高いのに対し、活動量センサは人の活動量を検知して活動量が大きいほど室内の汚れ度は大きいと推定することで室内の汚れ度を間接的に検知しており、比較的精度が低い。また、日常生活でも、一時的な活動量の変化が散見されることがあることから、活動量センサの出力は参考にするが、制御にすぐ反映しない方が好ましい。
【０１８３】
そこで、汚れセンサ１００を主検知手段とし、活動量センサを汚れ検知のアシスト検知手段として、次のようにセンサに重み付けを行い、活動量センサが検知した活動量に比べ汚れセンサが検知した汚れ度をより静電霧化装置４０，４０Ａの制御に反映することもできる。
（ｉ）汚れセンサの場合
汚れ度「大」：  汚れ指数Ｎｇ＝４
汚れ度「中」：  汚れ指数Ｎｇ＝２
汚れ度「清浄」：汚れ指数Ｎｇ＝０
（ii）活動量センサの場合
活動量「大」：  汚れ指数Ｎａ＝２
活動量「中」：  汚れ指数Ｎａ＝１
活動量「小」あるいは「安静」：汚れ指数Ｎａ＝０
【０１８４】
このようにセンサに重み付けした場合、図３８のフローチャートのステップＳ８５においてＮ＝０あるいは１と判定されると、ステップＳ８６に移行し、ステップＳ８７においてＮ＝２と判定されると、ステップＳ８８に移行し、ステップＳ８７においてＮ＝２ではない（Ｎ≧３）と判定されると、ステップＳ８９に移行して、汚れ指数Ｎに応じた静電霧化装置４０，４０Ａの制御が行われる。
【０１８５】
このように、精度の高い汚れセンサ１００を主検知手段とし、活動量センサを汚れ検知のアシスト検知手段として重み付けを行った制御とすることで誤検知の可能性をより低減することが可能となり、静電霧化装置４０，４０Ａが発生した静電ミストの効果（室内脱臭浄化）と静電霧化装置４０，４０Ａの汚れ防止効果とをさらに両立させている。
【０１８６】
なお、汚れセンサ１００として、ガスセンサに代えて光学式ホコリセンサを用いると、室内の塵埃を直接検知できるので、活動量センサを設ける必要はない。
【０１８７】
上記実施の形態において、室内空気の汚れ度に二つの閾値を設け、室内空気の汚れ度に応じて静電霧化装置４０，４０Ａが連続運転、間欠運転あるいは停止を繰り返すように制御したが、室内空気の汚れ度に一つの閾値を設け、室内空気の汚れ度に応じて静電霧化装置４０，４０ＡをＯＮ／ＯＦＦ制御することもできる。この場合、表示部１０６には室内空気の汚れ度が２色で表示される。また、三つ以上の閾値を設け、静電霧化装置４０，４０Ａの間欠運転（運転率）をさらに細かく制御するようにしてもよく、この場合、表示部１０６には室内空気の汚れ度が４色以上で表示される。
【０１８８】
このように閾値の数は任意に設定できるが、数が少ないほど静電霧化装置４０，４０Ａによる空気清浄のきめ細かい制御は低下するが簡易な構成でコストの上昇を抑制することが可能となり、数が多いほど構成が複雑になるが静電霧化装置４０，４０Ａによる空気清浄のきめ細かい制御が可能となる。
【０１８９】
また、室内空気の汚れ度に応じて換気ファンユニット３８に設けられた換気ファンの回転数制御を行い、汚れ度が大きい場合は換気ファンの回転数を増大すると、室内空気をより迅速に浄化することができるとともに、静電霧化装置４０，４０Ａの運転率が増大し、静電ミストによる室内浄化作用も増大する。
【０１９０】
以上、いくつかの構成を説明したように、汚れ検知手段が検知した室内空気の粒子状物質の多寡、すなわち汚れ度に応じて静電霧化装置４０，４０Ａの能力を制御し、例えば汚れ度が小さい場合は静電霧化装置４０，４０Ａを通常通り運転する一方、汚れ度が大きい場合は静電霧化装置４０，４０Ａの能力を制限して運転するようにしたので、長期に渡り静電霧化装置４０，４０Ａを正常運転することができ、静電ミストによる脱臭などの空気浄化機能を維持継続することができる。
【０１９１】
（静電霧化装置の電極の自己浄化制御）
上述したように、室内空気が汚れていると、帯電した塵埃の一部が対向電極６２に付着して対向電極６２が汚れ、静電霧化装置４０，４０Ａの機能が低下するので、空気調和機の運転が停止している時、室内ファン８及びバイパス送風ファン４８を停止させた状態で、静電霧化装置４０，４０Ａだけが所定時間運転されるように制御される。すなわち、空気調和機の運転が停止している時に静電霧化装置４０，４０Ａの放電電極６０と対向電極６２とに所定の高電圧を印加する制御を行うものである。
【０１９２】
このような制御を行うことで、静電霧化ユニット５２で発生する静電ミストが室内機本体２の吹出口１０にほとんど流出することなく、ユニットハウジング９０（図３３）に加えてケーシング５６（図２５）、又は隔壁６８ｃと本体カバー（図示せず）との間に形成された収容部４４ｅ（図３１）に充満し、放電電極６０と対向電極６２の周囲が静電ミストの雰囲気となる。これにより、放電電極６０と特に対向電極６２の汚れ成分を静電ミストによる親水性作用で浮かび上がらせて分解することにより、静電ミストを発生する放電電極６０と対向電極６２をきれいな状態に回復することで経時的な放電の悪化を防止することができる。すなわち、このような電極の自己浄化制御により静電霧化装置４０，４０Ａの性能低下を防止することができる。
【０１９３】
このような電極の自己浄化制御を行うのは、空気調和機の運転が停止している時、すなわち、空気調和機の運転停止直後から次回運転を開始するまでのうちいつでも可能である。
【０１９４】
しかしながら、空気調和機の運転が停止している時に行う中でも、特に静電霧化装置を動作させながらの空気調和機の運転（送風を含む一連の空調運転）の停止直後に行うことが、静電霧化装置が動作していればそのまま電極の自己浄化制御として継続して動作することもできることから都合が良い。そして、この運転停止直後に行うことについても、毎回行っても良いし、選択的に行っても良い。そのうち、停止直後に毎回行う場合には、静電霧化装置を動作して電極の自己浄化制御を所定時間（例えば、１〜３分）行えば、電極６０，６２を常にきれいな状態に保持することができ、静電霧化装置４０，４０Ａの性能低下を最小限に抑えることができる。
【０１９５】
また、電極の自己浄化制御を運転停止直後に選択的に行う場合には、例えば空調運転（静電霧化装置運転）の積算時間や室内空気の汚れ度を考慮することで可能であり、静電霧化装置４０，４０Ａの不要な動作を抑制した効率的な運転を行うことができる。以下、この選択的に行う制御を図３９のフローチャートを参照しながら説明する。
【０１９６】
まずステップＳ９１において、空気調和機の運転が開始し、静電霧化装置４０，４０Ａの運転が開始すると、ステップＳ９２において、制御部１０２に設けられた運転時間積算手段により空気調和機の運転時間を積算して積算運転時間Ｔｈとし、次のステップＳ９３において、汚れ検知手段により室内空気の汚れ度Ｄｓを検知する。なお、積算運転時間Ｔｈは基本的には静電霧化装置４０，４０Ａの運転の積算時間であるが、本発明の実施の形態では空気調和機の運転中は静電霧化装置４０，４０Ａが常に動作しているとして、便宜上空気調和機の運転時間の積算として説明する。
【０１９７】
ステップＳ９４において、検知された汚れ度Ｄｓを閾値Ｄ０（例えば、上述した第１の閾値）と比較し、汚れ度Ｄｓが閾値Ｄ０より小さい場合には、ステップＳ９３に戻る一方、汚れ度Ｄｓが閾値Ｄ０以上の場合には、ステップＳ９５において、制御部１０２に設けられた汚れ超過積算手段により汚れ超過積算時間ＴＤｓを算出する。
【０１９８】
ステップＳ９６において、空調運転の停止信号が制御部１０２に入力されたどうかを判定し、入力されていない場合には、ステップＳ９２に戻る一方、入力された場合には、ステップＳ９７において、空気調和機の積算運転時間Ｔｈを閾値Ｔ０（例えば、１００時間）と比較し、積算運転時間Ｔｈが閾値Ｔ０以上の場合には、ステップＳ９８において、積算運転時間Ｔｈをリセットした後、ステップＳ９９において空気調和機の運転を停止し、室内ファン８を停止させ、前面吸込口２ａを前面パネル４で閉止するとともに上下羽根１２で吹出口１０を閉止した状態で、静電霧化装置４０，４０Ａを所定時間（例えば、３〜５分）運転した後、停止させる。なお、ここで前面吸込口２ａと吹出口１０とを閉止した状態としたのは、室内機本体２から静電ミストが流出せずに内部に充満しやすく、より効率的に自己浄化できるようにするものであり、これらを開放した状態とするより望ましいものである。
【０１９９】
一方、ステップＳ９７において、積算運転時間Ｔｈが閾値Ｔ０より短いと判定されると、ステップＳ１００において、汚れ超過積算時間ＴＤｓを閾値ＴＤ０（例えば、５０時間）と比較し、汚れ超過積算時間ＴＤｓが閾値ＴＤ０以上の場合には、ステップＳ１０１において、汚れ超過積算時間ＴＤｓをリセットした後、ステップＳ９９に移行する。
【０２００】
ステップＳ１００において、汚れ超過積算時間ＴＤｓが閾値ＴＤ０より短いと判定されると、ステップＳ１０２において、空気調和機の運転停止と同時に静電霧化装置４０，４０Ａも停止させる。
【０２０１】
すなわち、空気調和機の積算運転時間Ｔｈが短く、かつ室内空気が汚れた状態での汚れ超過積算時間ＴＤｓが短い場合には、空気調和機の運転停止直後に電極６０，６２の浄化を行わないことで、不要な浄化動作を抑制する一方、空気調和機の積算運転時間Ｔｈが長かったり、室内空気が汚れた状態での汚れ超過積算時間ＴＤｓが長かったりする場合には、空気調和機の運転停止直後に電極６０，６２の浄化を行うことで、静電霧化装置４０，４０Ａの性能低下を防止している。
【０２０２】
なお、図３９のフローチャートにおいては、汚れ超過積算時間ＴＤｓを算出し、汚れ超過積算時間ＴＤｓが所定時間（閾値ＴＤ０）以上の場合に、空調運転停止直後に、静電霧化装置４０，４０Ａを所定時間継続して運転した後、停止させるようにしたが、汚れ超過積算時間ＴＤｓを算出することなく、汚れ検知手段により検知した室内空気の汚れ度Ｄｓが閾値Ｄ０以上の場合に、空調運転停止直後に、静電霧化装置４０，４０Ａを所定時間継続して運転した後、停止させるようにしてもよい。静電霧化装置４０，４０Ａをこのように制御すると、室内空気の汚れが一時的に大きくなったことに起因する想定外の電極６０，６２の汚れを浄化して性能低下を防止することができるとともに、室内空気の汚れ度Ｄｓが小さい場合には、不要な動作をしなくて済む。
【０２０３】
また、空気調和機の積算運転時間Ｔｈが長かったり、室内空気が汚れているときの汚れ超過積算時間ＴＤｓが長かったりした場合の静電霧化装置４０，４０Ａの運転時間を、空気調和機の運転が停止する毎に静電霧化装置４０，４０Ａを運転する場合の運転時間より長く設定したのは、前者の方が、電極６０，６２の汚れが大きいと予想されるからである。
【０２０４】
さらに、空気調和機の運転停止直後に静電霧化装置４０，４０Ａを所定時間運転して電極６０，６２の浄化を行うことを、運転時間積算手段による積算運転時間Ｔｈのみで判断するようにしても良く、このような制御を行うことで、空気がそれほど汚れていなくても長時間運転した場合の相応の汚れによる静電霧化装置４０，４０Ａの性能低下を防止することができ、積算運転時間Ｔｈが短い場合には不要な動作をしなくて済む。
【０２０５】
なお、空気調和機が運転中の静電霧化装置の動作は、先にも説明した室内空気の汚れ度や、温湿度条件によっては停止していることもあり、必ずしも空気調和機を停止する時に動作しているとは限らないので、その時にはあらためて静電霧化装置を動作させれば良い。室内空気の汚れ検知手段としては、上述した室内空気の汚れ度を直接検知する汚れセンサでもよく、室内空気の汚れ度を間接的に検知する活動量センサでもよい。
【０２０６】
また、上述した電極６０，６２の自己浄化制御において、前面パネル４は固定式であってもよく、この場合、静電霧化装置４０，４０Ａの所定時間の運転は上下羽根１２で吹出口１０を閉止した状態で行えばより効率的に浄化できる。
【０２０７】
（熱交換器を含む本体内部の防かび・除菌制御）
空気調和機の暖房運転中は、本体２内部は乾燥しているが、冷房あるいは除湿運転中は、熱交換器６は濡れており、本体２内部の湿度が高く、かびや菌が発生しやすい。そこで、冷房あるいは除湿運転停止後、一旦冷凍サイクルを送風運転と除湿運転と暖房運転とのうちいずれか一つ以上に切り替え、乾燥運転として所定時間運転して本体内部を乾燥させた後、静電霧化装置４０，４０Ａにより静電ミストを発生させることで、防かび・除菌を行う。
【０２０８】
以下、この制御を図４０のフローチャートを参照しながら説明する。
まずステップＳ１１１において、空調運転を開始すると、ステップＳ１１２において、空調運転が冷房あるいは除湿運転かどうかを判定する。冷房あるいは除湿運転の場合にはステップＳ１１３に移行する一方、冷房あるいは除湿運転でない場合にはステップＳ１１４に移行する。
【０２０９】
ステップＳ１１３においては、空調運転の停止信号が制御部１０２に入力されたどうかを判定し、入力された場合にはステップＳ１１５において、室外機に設けられた四方弁を切り替えることにより冷凍サイクルを暖房運転に切り替えて熱交換器６を含む本体２内部の乾燥運転を行う一方、空調運転の停止信号が制御部１０２に入力されていない場合には、ステップＳ１１３に戻る。
【０２１０】
ステップＳ１１５における本体２内部の乾燥運転が終了すると、ステップＳ１１６において室内ファン８を低速（例えば、約５００ｒｐｍ）で運転させ、前面吸込口２ａを前面パネル４で閉止するとともに上下羽根１２で吹出口１０を閉止した状態、又は前面パネル４及び上下羽根１２は後述する乾燥位置の状態で、静電霧化装置４０，４０Ａが所定時間（例えば、約３分）運転されるように制御される。
【０２１１】
このような制御を行うことで、室内機本体２の内部に静電ミストが撹拌されながら充満又は循環し、熱交換器６、室内ファン８等を含む本体２内部におけるかびや菌の発生を抑制することができる。特に、内部を乾燥してから静電ミストを充満させることで、静電ミストが水分により消滅してしまうことを防止して、少しでも長時間にわたって負の帯電を維持しながら隅々まで効果を行き渡らせることができる。
【０２１２】
静電霧化装置４０，４０Ａを所定時間運転した後、ステップＳ１１７において、静電霧化装置４０，４０Ａを停止させる（室内機の完全停止）。
【０２１３】
また、ステップＳ１１４においては、空調運転の停止信号が制御部１０２に入力されたどうかを判定し、入力された場合にはステップＳ１１７において、室内機を完全に停止させる一方、空調運転の停止信号が制御部１０２に入力されていない場合には、ステップＳ１１４に戻る。
【０２１４】
次に、ステップＳ１１５において行う本体２内部の乾燥運転について図４１のタイミングチャートを参照しながら説明する。
【０２１５】
図４１に示されるように、本体２内部の乾燥運転を行う場合、時間ｔ１において、室外機に設けられた圧縮機及び室外ファンが停止して冷房あるいは除湿運転は停止する。また、時間ｔ１までの運転モードやリモコンの設定風量に応じて回転速度が決定されていた室内ファン８は第１の速度（例えば、約９００ｒｐｍ）に設定され、１回目の送風運転を行う。このとき、室外機に設けられた膨張弁は、冷房あるいは除湿運転時の圧縮機周波数に対応して決定される目標吐出温度になるように開度制御が行われており（吐出温制御）、四方弁はＯＦＦで冷房運転時の冷凍サイクルが維持されている。
【０２１６】
また、前面パネル４及び上下羽根１２は開状態から乾燥位置に移動するが、この乾燥位置について図４２を参照しながら説明する。
【０２１７】
図４２に示される乾燥位置においては、前面パネル４は前面吸込口２ａから僅かに離反する（例えば、Ａ＝２０ｍｍ）一方、上下羽根１２の後縁部は吹出口１０の下縁部に当接するとともに、その前縁部は吹出口１０の上縁部より僅かに離反している（例えば、Ｂ＝１０ｍｍ）。
【０２１８】
したがって、本体２内部の乾燥運転時は、室内ファン８から吹出口１０に向かって送風された空気は、室内に送風されることなく上下羽根１２により前面吸込口２ａに導かれ、吹出口１０から送風された空気が直接吸込口に吸い込まれて室内機内を循環する所謂「ショートサーキット」状態となる。
【０２１９】
図４１のタイミングチャートに戻って、本体２内部の乾燥運転をさらに説明すると、時間ｔ１から時間ｔ２まで（例えば、約３分）は送風運転を行い、時間ｔ２において、圧縮機は周波数を抑えた第１の運転周波数（例えば、約１６Ｈｚ）で運転を再開するとともに、室外ファンも低速度（例えば、約１５０ｒｐｍ）で運転を再開し、除湿（本格除湿）運転を行う。除湿運転中、膨張弁は最大パルス（例えば、約４８０パルス）に設定されて全開し、室内ファン８は第１の速度より低い第２の速度（例えば、約５００ｒｐｍ）で運転を行う。ちなみに本格除湿とは、室内熱交換器の一部を加温に使用するなど工夫して、通常の除湿運転では室内温度が僅かずつではあるが低下してしまう問題点を解決した除湿方法である。
【０２２０】
所定時間（例えば、約５５分）の除湿運転終了後、時間ｔ３において、２回目の送風運転に入り、圧縮機及び室外ファンは停止するとともに、室内ファン８は第２の速度から第１の速度に変更される。なお、膨張弁のパルス数は最大パルスに引き続き維持されている。
【０２２１】
時間ｔ３から所定時間（例えば、約３分）経過後の時間ｔ４において、四方弁を切り替えて暖房運転に入り、本体２内部を乾燥させて冷房あるいは除湿運転中に生じた水分を塵埃とともに除去する。暖房運転中は、圧縮機は第１の運転周波数より高い第２の運転周波数（例えば、約３０Ｈｚ）に維持され、室外ファンは除湿運転時と同じ速度で運転される。また、膨張弁は最大パルスより少ない所定のパルス（例えば、約４００パルス）に設定され、室内ファン８は、再び第２の速度に設定される。
【０２２２】
所定時間（例えば、約３０分）の暖房運転終了後、時間ｔ５において、四方弁をＯＦＦにして冷房運転時の冷凍サイクルに戻し、圧縮機及び室外ファンを停止するとともに、室内ファン８を第２の速度から第１の速度に変更して３回目の送風運転を行う。このとき、膨張弁のパルス数は前記所定のパルスより最大パルスに再設定される。
【０２２３】
３回目の送風運転を所定時間（例えば、約３分）行った後、時間ｔ６において、全ての運転を停止する。なお、時間ｔ１から時間ｔ６までの間、前面パネル４及び上下羽根１２は、図４２に示される乾燥位置に保持される。
【０２２４】
ここで、本体２内部の乾燥運転に際し、暖房運転の前に除湿（本格除湿）運転あるいは送風運転の組み合わせ運転を行っているが、これは、暖房運転で本体２内部の乾燥運転を行うと、それ以前の運転で熱交換器６に付着していた結露水が急激に蒸発して室内空間に流出し、部屋の湿度が上昇してユーザに不快感をあたえる虞があるが、本格除湿を行うことで湿気を室内空間に流出させることなく熱交換器６の結露水の一部を回収しながら洗浄することができるので、ユーザに不快感を与えることなく本体２内部の乾燥運転に移行できるからである。また、本体２内部の乾燥運転中、除湿運転と暖房運転の前後に合計３回の送風運転を行っているが、これは圧縮機の吸入圧力と吐出圧力との圧力差が大きいと起動に失敗する可能性があり、吸入圧力と吐出圧力を均一化するためである（圧縮機の起動保護）が、送風運転でも時間は掛かるが熱交換器６を乾燥させることができ、圧縮機の起動保護の間にも乾燥の促進としている。
【０２２５】
上述した本体内部の防かび・除菌制御の効果を検証するため、静電ミストの有無による室内機各部の生残菌数をＪＩＳ  Ｚ  ２８０１に準拠したテスト方法で調べたところ、表８及び表９のような結果が得られた。表８は黄色ブドウ球菌に対する静電ミストの効果を示しており、表９は大腸菌に対する静電ミストの効果を示している。また、図４３及び図４４のグラフは表８及び表９にそれぞれ対応している。
【表８】
0004262771.tif 000009
【表９】
0004262771.tif 000010
【０２２６】
なお、「アルミフィン」は熱交換器６を構成するフィンを、「台枠材」は本体２の枠体を、「ＣＦＦ材」は室内ファン（クロスフローファン）８をそれぞれ意味している。また、生残菌数の単位における「ｃｆｕ」は「集落形成単位（colony forming unit）」のことであり、「抗菌活性値」はＪＩＳ  Ｚ  ２８０１の抗菌性試験方法で規定されており、無加工品の２４時間培養後の菌数を抗菌加工品の２４時間培養後の菌数で除した数の対数値で表され、抗菌活性値＝２．０は９９％の死滅率に相当し、抗菌活性値２．０以上（９９％以上の死滅率）で効果があると定義されている。
【０２２７】
表８及び表９あるいは図４３及び図４４のグラフから分かるように、静電ミストにより生残菌数が激減しており、静電ミストの防かび・除菌効果は明らかである。
【０２２８】
なお、静電霧化運転は、通常は空調運転中にも行われているものであり、室内機の乾燥運転の送風運転、本格除湿運転及び暖房運転中にも運転していても良く、この場合にはショートサーキット状態で室内機の内部を循環することで、静電ミストは熱交換器の金属や水分、室内ファンなどに衝突して多くが消滅するとはいえ、その分より長時間にわたって静電ミストを室内機本体の内部に循環させて隅々まで到達させることで防かびと除菌のより大きな効果を得ることができる。
【０２２９】
また、乾燥運転は図４１で説明した方法に限るものではなく、運転時間を変更したり、送風運転と暖房運転だけの組み合わせにしたりするなど、種々の方法が可能である。
【０２３０】
また、上述した本体内部の防かび・除菌制御において、前面パネル４は固定式であってもよく、この場合、静電霧化装置４０，４０Ａの所定時間の運転は上下羽根１２で吹出口１０を閉止した状態で行われる。
【０２３１】
（前面パネルの汚れ防止制御）
この制御は静電ミストの汚れ成分を親水性作用で浮かび上がらせて分解する機能による汚れ防止効果を利用したものであり、空気調和機の運転を停止している時に、室内ファン８を運転し、吹出口１０から送風された空気が直接吸込口（前面吸込口２ａ、上面吸込口２ｂ）に吸い込まれて室内機内を循環する「ショートサーキット」状態で、前面パネル４の表面（前面）を静電ミストを含んだ空気が通過するように前面パネル４及び上下羽根１２を位置制御した上で、静電霧化装置４０，４０Ａを所定時間（例えば、約３分）運転することにより行われる。
【０２３２】
図４５乃至図４７は、前面パネル４の汚れ防止制御を行う場合の前面パネル４と上下羽根１２との位置関係を示しており、いずれの場合も、上下羽根１２を上向きにして吹出口１０から送風された空気が直接吸込口（前面吸込口２ａ、上面吸込口２ｂ）に吸い込まれて室内機内を循環する「ショートサーキット」状態となるように設定されている。本発明の実施の形態における前面パネル４の汚れ防止制御においては、前面パネル４及び上下羽根１２は図４５乃至図４７のうちのいずれかの状態になるように位置制御される。
【０２３３】
（ｉ）図４５の状態
前面パネル４：上部「開」、下部「閉」
上下羽根１２：吹出口１０の上部「開」、下部「ほぼ閉」、風向は前方上向き
（ii）図４６の状態
前面パネル４：上部「開」、下部「わずかに開」（下縁部は上下羽根１２の前縁部より後方に位置する）
上下羽根１２：吹出口１０の上部「開」、下部「ほぼ閉」、風向は前方上向き
（iii）図４７の状態
前面パネル４：上部「開」、下部「開」（下縁部は上下羽根１２の前縁部より前方に位置する）
上下羽根１２：吹出口１０の上部「開」、下部「ほぼ閉」、風向は前方上向き
【０２３４】
前面パネル４の表面を流れる風量は、図４５の状態＞図４６の状態＞図４７の状態となる。図４５の状態は、吹出口１０から前方上方に吹き出した空気はすべて前面パネル４の表面に沿って流れるので、前面パネル４の表面の汚れ防止作用が最も効率よく行われる。また、前面パネル４が片支持となり、停止位置等の制御が容易である。
【０２３５】
図４６の状態は、吹出口１０から吹き出した空気の大部分は前面パネル４の表面に沿って流れるが、空気の一部は前面パネル４の裏面に沿って流れたり、前面吸込口２ａより本体２内部に流入したりするので、図４５の状態より前面パネル４の表面の汚れ防止作用は低下するが、前面パネル４の裏面の汚れ防止作用や本体２内部の浄化作用もある程度達成することができる。
【０２３６】
さらに、図４７の状態は、吹出口１０から吹き出した空気の約半分は前面パネル４の表面に沿って流れるが、空気の残りの約半分は前面パネル４の裏面に沿って流れたり、前面吸込口２ａより本体２内部に流入したりするので、図４６の状態より前面パネル４の表面の汚れ防止作用はさらに低下するが、前面パネル４の裏面の汚れ防止作用や本体２内部の浄化作用が向上する。
【０２３７】
なお、前面パネル４は固定式であってもよく、図４８は固定式前面パネルを有する室内機の汚れ防止制御を示している。この場合、上下羽根１２は、図４５乃至図４７と同様に設定され、吹出口１０から吹き出した空気はすべて前面パネル４の表面に沿って流れることになる。
【０２３８】
また、図４５と図４６の状態のように、前面パネル４の下縁部が上下羽根１２の前縁部より後方に位置するように構成すれば、吹出口１０から吹き出した空気がよりスムーズに前面パネル４の表面に沿って流れるショートサーキットの状態を作ることができる。
【０２３９】
前面パネル４の汚れ防止効果を検証するため、３２リットルの箱に煙草３０本の煙を３０分で注入して、前面パネル４の表面に図４５の状態で静電ミストを流した場合と流さない場合の表面の変色状態を比較した。煙の量は、容積換算すると、８畳の部屋で１５本／日の煙草を１０年間吸った場合に相当する。
【０２４０】
色差計（ミノルタ製ＣＲ−２００）を使用して変色前（使用前）と変色後の色差（耐煙草汚染性）を測定したところ、次のような結果が得られた。
静電ミストあり：ΔＥ＝２２．８７
静電ミストなし：ΔＥ＝３４．２８
【０２４１】
この結果は、前面パネル４の表面に静電ミストを流すことで、前面パネル４の汚れが防止されることを示している。すなわち、前面パネルのメンテナンスの煩わしさを低減することができる。
【０２４２】
なお、上述した静電霧化装置４０，４０Ａの運転制御、電極６０，６２の自己浄化制御、本体内部の防かび・除菌制御、及び前面パネル４の汚れ防止制御は組み合わせて行うことも勿論可能で、空気調和機の運転中に静電霧化装置４０，４０Ａの運転制御を行い、空気調和機の停止後に、電極６０，６２の自己浄化制御、本体内部の防かび・除菌制御、及び／又は、前面パネル４の汚れ防止制御を行えばよい。
【０２４３】
（肌ケア及び部屋ケア制御）
ここでは、これまで説明した人体検知装置（センサユニット２６，２８，３０，３２，３４）を用いた風向制御と静電霧化装置４０，４０Ａとを組み合わせて、静電ミストをより有効に活用する方法について説明する。先にも述べたように、静電ミストには臭気成分を除去する脱臭効果の他に、肌質改善効果を有する。この肌質改善効果というのは、静電ミストが居住者の肌に到達すれば、個人差はあるものの人の肌にうるおいをもたらすものである。
【０２４４】
本実施の形態においては、静電ミストを人が在室しているときに人の肌質改善効果の発揮を主な目的として発生させる制御を肌ケアモードとし、静電ミストを人が在室していない、すなわち不在のときに室内の脱臭効果の発揮を目的に発生させる制御を部屋ケアモードとする。なお、肌ケアモードで発生させた静電ミストが室内の臭気成分と反応した場合には脱臭効果を発揮することになる。
【０２４５】
本実施の形態における空気調和機は、人体検知装置（センサユニット２６，２８，３０，３２，３４）として人の在否を検知する人体検知センサと、静電ミストを発生する静電霧化装置４０，４０Ａとを有する室内機を備え、その制御は、人の在室時に行われる肌ケアモードと人の不在時に行われる部屋ケアモードの二つのモードが設けられている。すなわち、人体検知センサの検知範囲において所定の領域に人がいると判定された場合には、肌ケアモードとしてその所定の領域の方向に風向制御して、検知した人又はその所定の領域に静電ミストを到達させるようにし、人体検知センサの検知範囲内に人がいないと判定された場合には、部屋ケアモードとして上方又は遠方の領域に静電ミストを到達させるようにする。なお、先に説明した風向制御は、暖房時及び冷房時の室内の温度や室内にいる人の体に感じる温度に合わせて制御するものであったが、静電ミストは冷暖房運転に合わせて発生してもよいし、冷凍サイクルを停止した送風運転に合わせて発生してもよい。
【０２４６】
このような構成によって、肌ケアモードにおいては静電ミストにより人の肌にうるおいをもたらすことが可能になる。また、部屋ケアモードにおいては、人が不在なので吹き出し気流を人に当てないようにするなどの配慮が必要なく、上方の天井や部屋の周囲全体にわたって、壁及びカーテンなどに付着した臭気成分を脱臭したり、除菌したりすることを効率的かつ効果的に行うことができ、快適な室内環境を実現することが可能となる。
【０２４７】
ここからは、人体検知センサによって人が存在する方向や領域を詳細に検知して、きめ細かく制御する方法について説明する。
【０２４８】
人の在室時に行われる肌ケアモードにおいては、各領域Ａ〜Ｉにおける空調設定に応じて、室内ファン８の回転数制御及び上下羽根１２と左右羽根１３の風向制御を上述した風向制御と同様、暖房時は人がいると判定された領域における人の足元手前に風向きを制御するとともに、冷房時は人がいると判定された領域の上方に吹き出し空気（冷風）を到達させるように風向きを制御する。同時に、静電霧化装置４０，４０Ａを作動させて、温風あるいは冷風とともに静電霧化装置４０，４０Ａが発生した静電ミストを居住者に到達させ肌ケアを行うようにしている。
【０２４９】
また、肌ケアモードにおいては、人がいると判定された領域に風向制御するのではなく、人がいる頻度が高い領域（領域特性Ｉの領域）に静電ミストが到達するように室内ファン８の回転数制御及び上下羽根１２と左右羽根１３の風向制御を行うこともできる。
【０２５０】
一方、人の不在時に行われる部屋ケアモードにおいては、まず壁面やカーテンあるいは床面や天井の付着臭を除去するために、室内ファン８及び静電霧化装置４０，４０Ａを作動させ、図１６及び図１９に示されるように冷房時に行われる天井気流で領域Ａ，Ｂ，Ｃ，Ｆ，Ｇ，Ｈ，Ｉの順で静電ミストが当該領域に所定の時間到達するように上下羽根１２及び左右羽根１３を制御する。
【０２５１】
領域Ａ，Ｂ，Ｃ，Ｆ，Ｇ，Ｈ，Ｉは、分割した９領域のうち外側に位置する領域で室内機からは遠方であり、これらの領域に壁やカーテンが存在していると想定されるからである。また、上方に吹き出す天井気流を採用することで、煙草等の臭いが付着していることが予想される天井にも静電ミストを到達させることができるとともに、天井気流により天井に沿って流れる静電ミストは壁面に衝突して下方に流れるので、床面の脱臭や除菌も行うことができる。
【０２５２】
ここで、領域Ａ，Ｂは室内機の設置面（壁面）の近傍に位置しているため、天井気流ではこの設置面の脱臭・除菌を十分行えない可能性がある。そこで、図１９の風向制御に代えて、図４９に示されるように上下羽根１２及び左右羽根１３の角度を設定して風向制御を行うこともできる。
Ｊ１：  ０°〜２５°
Ｊ２：２５°〜５０°
Ｊ３：５０°〜９０°
Ｋ１：−５°〜５°
Ｋ２：  ０°〜１５°
Ｋ３：  ０°〜６０°
Ｋ４：  ５°〜２０°
Ｋ５：１５°〜４５°
【０２５３】
次に、上述した領域特性Ｉ，II，IIIを考慮して室内ファン８と上下羽根１２及び左右羽根１３の制御を行う。すなわち、領域特性Ｉの領域は人がいる頻度が高い領域であり、人がいる頻度は領域特性Ｉ→II→IIIの順で低下する。そこで、人がいる頻度が高い領域から順に室内ファン８と上下羽根１２及び左右羽根１３の制御を行って静電ミストを所定の時間領域特性Ｉ〜IIIの領域に順次到達させる。また、人がいる頻度が高い領域は、臭いが付着している可能性が高いため、静電ミストを到達させる所定の時間を領域特性III→II→Ｉの順で増加させるようにしてもよい。このように風向制御を行うことにより、臭いが付着していても除去することができる。
【０２５４】
逆に、人がいる頻度が高い領域は、人の在室時に行われる肌ケアモードにおいて、静電ミストが十分供給されていると考えることもできるので、人がいる頻度が低い領域から順に室内ファン８と上下羽根１２及び左右羽根１３の制御を行って静電ミストを所定の時間領域特性Ｉ〜IIIの領域に順次到達させるようにしてもよい。また、人がいる頻度が低い領域は、肌ケアモードにおいて臭いが十分除去されていないと考えることもできるので、静電ミストを到達させる所定の時間を領域特性Ｉ→II→IIIの順で増加させることもできる。このように風向制御を行うことにより、充分除去されずに残っていた臭いも除去することができる。
【０２５５】
あるいは、肌ケアモードにおいて人がいると判定された時間を積算する手段を設け、この積算手段で積算した時間に応じて静電ミストを到達させる時間を変更するようにしてもよい。すなわち、積算時間が長いほど、臭いが残っていると考えられるので、部屋ケアモードにおいて静電ミストを到達させる所定の時間を長くすることで、脱臭効果あるいは除菌効果をさらに向上させることができる。
【０２５６】
さらに、図１６の例では、空調時の室内ファン８の最大設定回転数は１２００ｒｐｍとなっているが、人の不在時には騒音等を考慮する必要が全くないので、室内ファン８の回転数を風向変更手段（上下羽根１２及び左右羽根１３）の空気抵抗を加味して図５０のように設定し、静電ミストの到達性を向上させることもできる。
Ｌ１：１２００ｒｐｍ
Ｌ２：１３００ｒｐｍ
Ｌ３：１４００ｒｐｍ
【０２５７】
このとき、さらに換気ファンユニット３８を作動させ、室内空気を室外に放出すると、室内空気の浄化が促進される。
【０２５８】
なお、肌ケア及び部屋ケア制御の途中で第１乃至第５のセンサ２６，２８，３０，３２，３４のいずれかにより人の入室を検知した場合には、検知した領域における空調設定に応じて、室内ファン８の回転数制御及び上下羽根１２と左右羽根１３の風向制御を行う上述した「在室時制御」に復帰する。
また、人が不在になるのは、空気調和機の運転中で一時的な場合と、空気調和機を停止して退出する場合などが考えられる。運転中に一時的に不在になる場合は、不在時間が長引くのに応じて冷暖房運転はそのまま部屋ケアモードを開始するようにしてもよいし、後述する省エネ運転として部屋ケアモードを行うようにしてもよい。退出により不在になる場合は、送風運転で所定時間、部屋ケアモードを行うようにしてもよい。
【０２５９】
（不在検知省エネ制御及び切り忘れ防止制御）
室内機にはタイマーが設けられており、このタイマーを使用して省電力運転として不在検知省エネ制御及び切り忘れ防止制御が行われる。この不在検知省エネ制御及び切り忘れ防止制御を部屋ケアモードとして行う方法について以下説明する。
【０２６０】
図５１は、人が室内に不在時に室内ファン８の風量（回転数）と室外機に設けられた圧縮機の能力を制御することにより省電力運転を達成する例を示している。
【０２６１】
すなわち、室内ファン８の風量を増大すると熱交換器６の熱交換効率が向上し、圧縮機の周波数が同じ場合には冷房あるいは暖房能力が増大するので、室内温度を同じ設定温度に保持するためには、圧縮機の周波数を低減することが可能となり、必要な消費電力は減少する。また、不在時に室内ファン８の風量を増大しても気流が強すぎることによる不快感や、室内ファン８の騒音増大による快適性の問題が生じることはない。そして、このとき同時に静電ミストを発生させて吹き出すことにより、部屋の隅々にまで静電ミストを行き渡らせることができ、部屋ケアモードとして脱臭と殺菌を行うことができる。
【０２６２】
図５１（ａ）に示されるように、第１乃至第５のセンサ２６，２８，３０，３２，３４により全ての領域Ａ〜Ｉに人がいないことが検知（ｔ０）されると、タイマーがカウントを開始し、タイマーによるカウント開始後、時間ｔ１（例えば、１０分）において人の不在が確認されると、図５１（ｂ）に示されるように、室内ファン８の風量を増大させるとともに、図５１（ｃ）に示されるように、圧縮機の周波数を段階的に時間ｔ２（例えば、カウント開始後３０分）まで減少させる。時間ｔ１経過後は室内ファン８の風量は一定（限界値）に保持され、時間ｔ２経過後は圧縮機の周波数は一定（限界値）に保持されるが、時間ｔ２、時間ｔ３（例えば、カウント開始後１時間）、時間ｔ４（例えば、カウント開始後２時間）、時間ｔ５（例えば、カウント開始後４時間）において人の不在が継続して確認されると、時間ｔ５において空気調和機の運転を停止して、空気調和機の切り忘れを防止する。
【０２６３】
なお、時間ｔ１から時間ｔ５までの間に人の存在が検知されると、時間ｔ１以前の設定風量及び設定周波数に復帰させる。
【０２６４】
次に別の省電力運転として、経過時間に応じて室内の設定温度を目標温度にまで変更する方法について、表１０及び図５２を参照しながら、まず暖房時の制御について説明する。
【表１０】
0004262771.tif 000011
【０２６５】
図５２は温度シフトの一例を示しており、ここでは設定温度Ｔsetを２８℃とし、目標温度（限界値）を２０℃とした場合について説明する。なお、ΔＴは設定温度Ｔsetと目標温度との差温である。ちなみに、目標温度は、人が不在のときに省エネを目標として暖房能力を低下させるときの限界値としている。
【０２６６】
第１乃至第５のセンサ２６，２８，３０，３２，３４により全ての領域Ａ〜Ｉに人がいないことが検知されると、タイマーがカウントを開始し、タイマーによるカウント開始後、時間ｔ１（例えば、１０分）において人の不在が確認されると、２℃（１／４ΔＴ）だけ設定温度Ｔsetを自動的に低減する。さらに、時間ｔ２（例えば、カウント開始後３０分）において人の不在が確認されると、２℃（１／４ΔＴ）だけ設定温度Ｔsetを自動的にさらに低減する。以下、同様に時間ｔ３（例えば、カウント開始後１時間）及び時間ｔ４（例えば、カウント開始後２時間）において人の不在が確認されると、それぞれ２℃（１／４ΔＴ）だけ設定温度Ｔsetを自動的に低減する。このように設定温度Ｔsetを自動的に低減することにともない、暖房能力を低減するのは、圧縮機の周波数を低下させればよい。例えば、図５１（ｃ）のｔ２までに行う低下を、ｔ５にかけて順次低下させればよい。
【０２６７】
時間ｔ４においては、設定温度Ｔsetより合計８℃低減されて目標温度に等しい２０℃になっているので、時間ｔ５（例えば、カウント開始後４時間）までは設定温度Ｔsetを目標温度のまま維持するが、時間ｔ５においても依然として人の不在が確認されると、空気調和機の運転を停止して、空気調和機の切り忘れを防止する。このようにして、不在検知による省エネ制御を行い、無駄な暖房運転を防いで消費電力を低減することができる。そして、このとき風量を増大させると同時に静電ミストを発生させて吹き出すことにより、部屋の隅々にまで静電ミストを行き渡らせることができ、部屋ケアモードとして脱臭と殺菌を行うことができる。
【０２６８】
なお、時間ｔ１から時間ｔ５までの間に人の存在が検知されると、時間ｔ１以前の設定温度Ｔsetに復帰させる。
【０２６９】
また、温度シフト幅（低減温度）は設定温度Ｔsetと目標温度との差温ΔＴに応じて表１０のように設定され、差温ΔＴが小さいほど温度シフト幅も小さい。また、設定温度Ｔsetが目標温度より低い場合は、現状温度に維持されるが、時間ｔ５において人の不在が確認されると、空気調和機の運転を停止するのは図５２の例と同じである。
【０２７０】
次に、表１１及び図５３を参照しながら、冷房時の制御について説明する。
【表１１】
0004262771.tif 000012
【０２７１】
図５３は温度シフトの一例を示しており、ここでは設定温度Ｔsetを２０℃とし、目標温度（限界値）を２８℃とした場合について説明する。なお、ΔＴは設定温度Ｔsetと目標温度との差温である。
【０２７２】
第１乃至第５のセンサ２６，２８，３０，３２，３４により全ての領域Ａ〜Ｉに人がいないことが検知されると、タイマーがカウントを開始し、タイマーによるカウント開始後、時間ｔ１（例えば、１０分）において人の不在が確認されると、２℃（１／４ΔＴ）だけ設定温度Ｔsetを自動的に増大する。さらに、時間ｔ２（例えば、カウント開始後３０分）において人の不在が確認されると、２℃（１／４ΔＴ）だけ設定温度Ｔsetを自動的にさらに増大する。以下、同様に時間ｔ３（例えば、カウント開始後１時間）及び時間ｔ４（例えば、カウント開始後２時間）において人の不在が確認されると、それぞれ２℃（１／４ΔＴ）だけ設定温度Ｔsetを自動的に増大する。
【０２７３】
時間ｔ４においては、設定温度Ｔsetより合計８℃増大されて目標温度に等しい２８℃になっているので、時間ｔ５（例えば、カウント開始後４時間）までは設定温度Ｔsetを目標温度のまま維持するが、時間ｔ５においても依然として人の不在が確認されると、空気調和機の運転を停止して、空気調和機の切り忘れを防止する。このようにして、不在検知による省エネ制御を行い、無駄な冷房運転を防いで消費電力を低減することができる。そして、このとき風量を増大させると同時に静電ミストを発生させて吹き出すことにより、部屋の隅々にまで静電ミストを行き渡らせることができ、部屋ケアモードとして脱臭と殺菌を行うことができる。
【０２７４】
なお、時間ｔ１から時間ｔ５までの間に人の存在が検知されると、時間ｔ１以前の設定温度Ｔsetに復帰させる。
【０２７５】
また、温度シフト幅（増大温度）は設定温度Ｔsetと目標温度との差温ΔＴに応じて表１１のように設定され、差温ΔＴが小さいほど温度シフト幅も小さい。また、設定温度Ｔsetが目標温度より高い場合は、現状温度に維持されるが、時間ｔ５において人の不在が確認されると、空気調和機の運転を停止するのは図５３の例と同じである。
【０２７６】
また、上述した図５１乃至図５３の例はいずれも、通常運転中、所定時間人がいない場合には、通常運転時より消費電力が少ない省電力運転を行うものであり、その後さらに所定時間人がいない場合には、空気調和機の運転を停止して省エネを達成している（「通常運転」とは、「使用者が指示した運転」）。
【０２７７】
さらに、不在が長時間継続しているにもかかわらず、温度変化を惹起するおそれのあるカーテン等の人以外の外乱を人体検知センサが誤検知した場合、不在（無人）状態で通常運転をいつまでも継続することも考えられるので、時間ｔ５より長い所定時間ｔ６（例えば、２４時間）経過すると運転を停止することで確実に切り忘れを防止することができる。また、時間ｔ５あるいは時間ｔ５より長い所定時間ｔ６経過後の運転停止直前には本体やリモコンに音声やＬＥＤランプ等で聴覚的あるいは視覚的に報知したり、画面に文字を表示したりするのが好ましい。さらに、時間ｔ５あるいは時間ｔ５より長い所定時間ｔ６経過後の自動運転停止を行うか否かを選択できる自動停止選択手段をリモコン等に設けると使い勝手が向上する。
【産業上の利用可能性】
【０２７８】
本発明にかかる空気調和機は、人の在否に応じて人の肌質を改善したり部屋を浄化したりすることで快適な室内環境を実現できるので、特に一般家庭用の空気調和機として有用である。
【図面の簡単な説明】
【０２７９】
【図１】本発明にかかる空気調和機の室内機を示しており、（ａ）は正面図、（ｂ）は上部に設けられた人体検知装置のカバーを取り外した状態の正面図、（ｃ）は側面図
【図２】前面パネルが前面吸込口を開放した状態の図１（ｂ）の室内機を示しており、（ａ）は斜視図、（ｂ）は側面図
【図３】図１の室内機の縦断面図
【図４】人体検知装置を示しており、（ａ）は正面図、（ｂ）は側面図、（ｃ）は斜視図
【図５】人体検知装置の取付位置の変化に基づく視野範囲の変化を示す概略図
【図６】人体検知装置に設けられた各センサユニットで検知される人体位置判別領域を示す概略図
【図７】三つのセンサユニットにより検知される領域区分の概略図
【図８】図６に示される各領域に領域特性を設定するためのフローチャート
【図９】図６に示される各領域における人の在否を最終的に判定するフローチャート
【図１０】各センサユニットによる人の在否判定を示すタイミングチャート
【図１１】図１の室内機が設置された住居の概略平面図
【図１２】図１１の住居における各センサユニットの長期累積結果を示すグラフ
【図１３】図１の室内機が設置された別の住居の概略平面図
【図１４】図１３の住居における各センサユニットの長期累積結果を示すグラフ
【図１５】図１の室内機に設けられた上下羽根の作動状態を示す室内機の縦断面図
【図１６】図６に示される各領域の空調を行う場合の室内ファンの設定回転数を示す概略図
【図１７】図６に示される各領域の暖房を行う場合の上下羽根と左右羽根の設定角度を示す概略図
【図１８】図６に示される各領域の冷房を行う場合の立ち上がりあるいは不安定時の上下羽根と左右羽根の設定角度を示す概略図
【図１９】図６に示される各領域の冷房を行う場合の安定時の上下羽根と左右羽根の設定角度を示す概略図
【図２０】空調すべき領域の数に応じて行われる風向制御を示すフローチャート
【図２１】二つの領域を空調する場合の配置モードを示す概略図
【図２２】三つの領域を空調する場合の配置モードを示す概略図
【図２３】一部を取り除いた状態を示す静電霧化装置を有する室内機の斜視図
【図２４】図２３の室内機の概略縦断面図
【図２５】図２３の室内機に設けられた静電霧化装置の斜視図
【図２６】図２３の室内機の枠体の一部と静電霧化装置を示す正面図
【図２７】静電霧化装置の概略構成図
【図２８】静電霧化装置のブロック図
【図２９】室内機本体に対する静電霧化装置の取付状態を示す斜視図
【図３０】室内機本体に対する静電霧化装置の取付状態を示す変形例の斜視図
【図３１】静電霧化装置と換気ファンユニットとの位置関係を示す図２３の室内機の側面図
【図３２】図２３の室内機に設けられたプレフィルタ自動清掃装置の斜視図
【図３３】静電霧化装置の変形例を示す斜視図
【図３４】図３３の静電霧化装置と換気ファンユニットとの位置関係を示す図２３の室内機の側面図
【図３５】静電霧化装置の制御回路を示すブロック図
【図３６】静電霧化装置の制御方法を示すフローチャート
【図３７】人の活動量の分類方法を示すフローチャート
【図３８】静電霧化装置の別の制御方法を示すフローチャート
【図３９】静電霧化装置の電極の自己浄化制御を示すフローチャート
【図４０】室内機内部の防かび・除菌制御を示すフローチャート
【図４１】室内機内部の防かび・除菌制御中に行われる乾燥運転を示すタイミングチャート
【図４２】室内機に設けられた前面パネル及び上下羽根の乾燥位置を示す室内機の概略縦断面図
【図４３】黄色ブドウ球菌に対する静電ミストの効果を示すグラフ
【図４４】大腸菌に対する静電ミストの効果を示すグラフ
【図４５】可動式前面パネルの汚れ防止制御を行う場合の前面パネルと上下羽根との位置関係を示す室内機の縦断面図
【図４６】可動式前面パネルの汚れ防止制御を行う場合の前面パネルと上下羽根との別の位置関係を示す室内機の縦断面図
【図４７】可動式前面パネルの汚れ防止制御を行う場合の前面パネルと上下羽根とのさらに別の位置関係を示す室内機の縦断面図
【図４８】固定式前面パネルの汚れ防止制御を行う場合の前面パネルと上下羽根との位置関係を示す室内機の縦断面図
【図４９】不在時に静電霧化運転を行う場合の上下羽根と左右羽根の設定角度を示す概略図
【図５０】不在時に静電霧化運転を行う場合の室内ファンの設定回転数を示す概略図
【図５１】室内ファンの風量と室外機に設けられた圧縮機の能力を制御することにより省電力運転を達成する場合のタイミングチャート
【図５２】暖房時の温度制御を示すタイミングチャート
【図５３】冷房時の温度制御を示すタイミングチャート
【符号の説明】
【０２８０】
２  室内機（本体）、  ２ａ  前面吸込口、  ２ｂ  上面吸込口、  ４  前面パネル、
５  カバー、  ６  熱交換器、  ８  室内ファン、  １０  吹出口、  １２  上下羽根、
１３  左右羽根、  １４  中羽根、  １６  中羽根駆動機構、  
１８，２０，２２，２４  アーム、  ２６，２８，３０，３２，３４  センサユニット、
２６ａ，２８ａ，３０ａ，３２ａ，３４ａ  回路基板、
２６ｂ，２８ｂ，３０ｂ，３２ｂ，３４ｂ  レンズ、  ３６  センサホルダ、  
３８  換気ファンユニット、  ４０，４０Ａ  静電霧化装置、  ４２  送風路、  
４４  バイパス流路、  ４４ａ  バイパス吸入口、  ４４ｂ  バイパス吹出口、  
４４ｃ  バイパス吸入管、  ４４ｄ  バイパス吹出管、  ４４ｅ  収容部、  
４６  高電圧トランス、  ４８  バイパス送風ファン、  ５０  放熱部、  
５２  静電霧化ユニット、  ５４  サイレンサ、  ５６  ケーシング、  
５８  ペルチェ素子、  ５８ａ  放熱面、  ５８ｂ  冷却面、  ６０  放電電極、
６２  対向電極、  ６４  制御部、  ６６  ペルチェ駆動電源、  ６８  台枠、  
６８ａ  後部壁、  ６８ｂ  側壁、  ６８ｃ  隔壁、  ６８ｄ  開口、  
７０  リヤガイダ、  ７０ａ  後部壁、  ７０ｂ  側壁、  ７２  プレフィルタ、
７４  プレフィルタ自動清掃装置、  ７６  吸引ノズル、  ７８  ガイドレール、
８０  吸引ダクト、  ８２  吸引装置、  ８２ａ  排気口、  ８４  排気ダクト、
８６  開口部、  ８８  ダンパ、  ９０  ユニットハウジング、
９２  サイレンサハウジング、  １００  汚れセンサ、  １０２  制御部、  
１０４  駆動回路、  １０６  表示部、  １０８  記憶部。
【要約】
【課題】人の在否に応じて人の肌質を改善したり部屋を浄化することで快適な室内環境を実現できる空気調和機を提供すること。
【解決手段】室内機に、人の在否を検知する複数の人体検知センサと静電ミストを発生する静電霧化装置とを設け、空調すべき領域を複数の人体検知センサにより複数の領域に区分し、人体検知センサにより人がいると判定された領域、あるいは人がいる頻度が高い領域特性を持つ領域に風向制御して当該領域に静電ミストを到達させるようにした。
【選択図】図２４【図１】
0004262771.tif 000013
【図２】
0004262771.tif 000014
【図３】
0004262771.tif 000015
【図４】
0004262771.tif 000016
【図５】
0004262771.tif 000017
【図６】
0004262771.tif 000018
【図７】
0004262771.tif 000019
【図８】
0004262771.tif 000020
【図９】
0004262771.tif 000021
【図１０】
0004262771.tif 000022
【図１１】
0004262771.tif 000023
【図１２】
0004262771.tif 000024
【図１３】
0004262771.tif 000025
【図１４】
0004262771.tif 000026
【図１５】
0004262771.tif 000027
【図１６】
0004262771.tif 000028
【図１７】
0004262771.tif 000029
【図１８】
0004262771.tif 000030
【図１９】
0004262771.tif 000031
【図２０】
0004262771.tif 000032
【図２１】
0004262771.tif 000033
【図２２】
0004262771.tif 000034
【図２３】
0004262771.tif 000035
【図２４】
0004262771.tif 000036
【図２５】
0004262771.tif 000037
【図２６】
0004262771.tif 000038
【図２７】
0004262771.tif 000039
【図２８】
0004262771.tif 000040
【図２９】
0004262771.tif 000041
【図３０】
0004262771.tif 000042
【図３１】
0004262771.tif 000043
【図３２】
0004262771.tif 000044
【図３３】
0004262771.tif 000045
【図３４】
0004262771.tif 000046
【図３５】
0004262771.tif 000047
【図３６】
0004262771.tif 000048
【図３７】
0004262771.tif 000049
【図３８】
0004262771.tif 000050
【図３９】
0004262771.tif 000051
【図４０】
0004262771.tif 000052
【図４１】
0004262771.tif 000053
【図４２】
0004262771.tif 000054
【図４３】
0004262771.tif 000055
【図４４】
0004262771.tif 000056
【図４５】
0004262771.tif 000057
【図４６】
0004262771.tif 000058
【図４７】
0004262771.tif 000059
【図４８】
0004262771.tif 000060
【図４９】
0004262771.tif 000061
【図５０】
0004262771.tif 000062
【図５１】
0004262771.tif 000063
【図５２】
0004262771.tif 000064
【図５３】
0004262771.tif 000065